(57)【要約】【課題】地図情報上に付加した情報を有効かつ簡易に活用する。【解決手段】スマートウォッチ１は、現在位置情報を取得し、在位置情報に基づく地図情報を取得し、所定の情報を連想させる互いに異なる複数のアイコンからいずれかのアイコンを選択し、ユーザの操作に基づき、地図情報において指定された指定地点に選択されたアイコンを付加し、選択されたアイコンに関する所定条件を満たしたときに、指定地点に付加されたアイコンに対応する所定情報をユーザに報知するＣＰＵ１０１と、地図情報とともに、ＣＰＵ１０１により付加された付加情報及び対応する指定地点を表示する表示部１０４と、を備える。【選択図】図２
2018106139.tif 000002
【特許請求の範囲】
【請求項１】
現在位置情報を取得する位置情報取得手段と、
前記現在位置情報に基づく地図情報を取得する地図情報取得手段と、
所定の情報を連想させる互いに異なる複数の付加情報からいずれかの付加情報を選択する選択手段と、
ユーザの操作に基づき、前記地図情報において指定された指定地点に前記選択手段により選択された付加情報を付加する情報付加手段と、
前記地図情報とともに、前記情報付加手段により付加された付加情報及び対応する前記指定地点を表示する表示手段と、
前記選択手段により選択された付加情報に関する所定条件を満たしたときに、前記指定地点に付加された付加情報に対応する所定情報をユーザに報知する報知手段と、
を備えることを特徴とする電子機器。
【請求項２】
前記報知手段は、前記付加情報に対応する所定情報を、前記表示手段による表示とは異なる態様で、かつ前記表示手段による表示よりも報知効果が高い態様でユーザに報知することを特徴とする請求項１に記載の電子機器。
【請求項３】
前記報知手段は、前記指定地点に付加された付加情報に対応する所定情報をユーザに報知した後に、再度、前記所定条件を満たしたときには前記指定地点に付加された付加情報に対応する所定情報をユーザに報知することを特徴とする請求項１又は２に記載の電子機器。
【請求項４】
前記報知手段は、ユーザが移動して前記指定地点に接近した結果、前記地図情報上に付加された付加情報そのものが前記表示手段に表示される態様とは異なる態様で、前記付加情報に対応する所定情報を報知することを特徴とする請求項１から３のいずれか一項に記載の電子機器。
【請求項５】
前記報知手段は、前記現在位置情報が示す現在位置が、前記指定地点から前記所定距離範囲内に存在するときに、前記付加情報に対応する所定情報をユーザに報知することを特徴とする請求項１から４のいずれか一項に記載の電子機器。
【請求項６】
前記報知手段は、前記指定地点に付加情報が付加された時からの経過時間に基づき、前記付加情報に対応する所定情報をユーザに報知することを特徴とする請求項１から５のいずれか一項に記載の電子機器。
【請求項７】
前記報知手段は、前記指定地点に付加情報が付加された時刻に基づき、前記付加情報に対応する所定情報をユーザに報知することを特徴とする請求項１から６のいずれか一項に記載の電子機器。
【請求項８】
前記付加情報に対応する所定情報は、ユーザにより入力されたメモ情報であることを特徴とする請求項１から７のいずれか一項に記載の電子機器。
【請求項９】
前記メモ情報は、ユーザにより音声入力又は手動操作により入力されたものであることを特徴とする請求項８に記載の電子機器。
【請求項１０】
前記メモ情報を入力するためのインターフェースをユーザに提供するインターフェース提供手段を備えることを特徴とする請求項８又は９に記載の電子機器。
【請求項１１】
前記指定地点を示す前記地図情報を表示する地図情報表示制御手段を備えることを特徴とする請求項１から１０のいずれか一項に記載の電子機器。
【請求項１２】
前記地図情報表示制御手段は、前記指定地点に付加された付加情報を、前記地図情報上の前記指定地点に重畳させて表示することを特徴とする請求項１１に記載の電子機器。
【請求項１３】
前記現在位置情報及び前記地図情報に基づき、前記指定地点までのナビゲーションを行うナビゲーション手段を備えることを特徴とする請求項１から１２のいずれか一項に記載の電子機器。
【請求項１４】
前記指定地点に付加された付加情報を、前記指定地点に付加された時刻に基づく時系列に沿って一覧表示する付加情報表示制御手段を備えることを特徴とする請求項１から１３のいずれか一項に記載の電子機器。
【請求項１５】
前記報知手段は、互いに異なる複数の付加情報のうち特定の付加情報に対応する所定情報のみを報知することを特徴とする請求項１から１４のいずれか一項に記載の電子機器。
【請求項１６】
互いに異なる複数の付加情報のうちいずれか一つ以上の付加情報を提示する提示手段を備え、
前記選択手段は、前記提示手段により提示された付加情報のうちユーザにより選択された付加情報を選択することを特徴とする請求項１から１５のいずれか一項に記載の電子機器。
【請求項１７】
前記提示手段は、前記現在位置情報に基づき、互いに異なる複数の付加情報のうちいずれか一つ以上の付加情報を抽出し、抽出された付加情報を提示することを特徴とする請求項１６に記載の電子機器。
【請求項１８】
前記提示手段は、互いに異なる複数の付加情報のうちいずれか二つ以上の付加情報を一覧表示し、それらのうちユーザが直前に選択した付加情報を始端に配置することを特徴とする請求項１６又は１７に記載の電子機器。
【請求項１９】
前記情報付加手段は、前記現在位置情報が示す現在位置を前記指定地点として付加情報を付加することを特徴とする請求項１から１８のいずれか一項に記載の電子機器。
【請求項２０】
前記情報付加手段は、前記地図情報のうちユーザにより選択された位置を前記指定地点として付加情報を付加することを特徴とする請求項１から１８のいずれか一項に記載の電子機器。
【請求項２１】
前記付加情報は、アイコンであることを特徴とする請求項１から２０のいずれか一項に記載の電子機器。
【請求項２２】
ユーザの感情を示す感情情報を取得する感情情報取得手段と、
前記感情情報取得手段により取得された感情情報に基づいて、前記付加情報又は前記付加情報に対応する所定情報を制御する制御手段と、
を備えることを特徴とする請求項１から２１のいずれか一項に記載の電子機器。
【請求項２３】
前記制御手段は、前記選択手段を含み、
前記選択手段は、前記感情情報取得手段により取得された感情情報に基づいて、いずれかの付加情報を選択することを特徴とする請求項２２に記載の電子機器。
【請求項２４】
前記制御手段は、前記選択手段を含み、
前記選択手段は、前記感情情報取得手段により取得された感情情報に基づいて互いに異なる複数の付加情報のうちいずれか一つ以上の付加情報を抽出し、抽出された付加情報のうちユーザにより選択された付加情報を選択することを特徴とする請求項２３に記載の電子機器。
【請求項２５】
前記制御手段は、前記情報付加手段を含み、
前記情報付加手段は、前記感情情報取得手段により取得された感情情報に基づいて、その表示態様を変化させた上で、前記選択手段により選択された付加情報を付加することを特徴とする請求項２２から２４のいずれか一項に記載の電子機器。
【請求項２６】
前記制御手段は、前記付加情報に対応する所定情報としてユーザにより入力された音声に基づく文字列を、前記感情情報取得手段により当該音声から取得された感情情報に基づいて、その表示態様を変化させた上で表示する文字列表示制御手段を更に有することを特徴とする請求項２２から２５のいずれか一項に記載の電子機器。
【請求項２７】
前記制御手段は、前記報知手段を含み、
前記報知手段は、前記感情情報取得手段により取得された感情情報に基づいて、前記付加情報に関する所定条件を変更することを特徴とする請求項２２から２６のいずれか一項に記載の電子機器。
【請求項２８】
前記感情情報取得手段は、ユーザにより入力された音声から当該ユーザの感情を示す感情情報を取得することを特徴とする請求項２２から２７のいずれか一項に記載の電子機器。
【請求項２９】
前記指定地点に付加された付加情報を含むデータファイルを、前記電子機器とは異なる外部機器が読み込み可能な形式で当該外部機器に送信する通信制御手段を更に備えることを特徴とする請求項１から２８のいずれか一項に記載の電子機器。
【請求項３０】
コンピュータを、
現在位置情報を取得する位置情報取得手段、
前記現在位置情報に基づく地図情報を取得する地図情報取得手段、
所定の情報を連想させる互いに異なる複数の付加情報からいずれかの付加情報を選択する選択手段、
ユーザの操作に基づき、前記地図情報において指定された指定地点に前記選択手段により選択された付加情報を付加する情報付加手段、
前記地図情報とともに、前記情報付加手段により付加された付加情報及び対応する前記指定地点を表示する表示手段、
前記選択手段により選択された付加情報に関する所定条件を満たしたときに、前記指定地点に付加された付加情報に対応する所定情報をユーザに報知する報知手段、
として機能させるためのプログラム。
【請求項３１】
現在位置情報を取得する位置情報取得工程と、
前記現在位置情報に基づく地図情報を取得する地図情報取得工程と、
所定の情報を連想させる互いに異なる複数の付加情報からいずれかの付加情報を選択する選択工程と、
ユーザの操作に基づき、前記地図情報において指定された指定地点に前記選択工程で選択された付加情報を付加する情報付加工程と、
前記選択工程で選択された付加情報に関する所定条件を満たしたときに、前記指定地点に付加された付加情報に対応する所定情報をユーザに報知する報知工程と、
を有することを特徴とする情報報知方法。
【発明の詳細な説明】
【技術分野】
【０００１】
本発明は、電子機器、プログラム及び情報報知方法に関する。
【背景技術】
【０００２】
従来、携帯電話機やスマートフォン（高機能携帯電話機）、タブレット端末、ナビゲーション端末、スポーツウォッチ等の携帯型（又は装着型）の電子機器において、位置情報や地図情報を利用した種々の製品、サービス等が提供されている。
【０００３】
上記のような電子機器において、例えば、電子機器に表示される地図情報上の特定の地点に、ユーザの操作に基づき、当該特定の地点に関連する情報を付加する技術が提供されている（例えば、特許文献１参照）。
【先行技術文献】
【特許文献】
【０００４】
【特許文献１】特開２０１１−２０９５７６号公報
【発明の概要】
【発明が解決しようとする課題】
【０００５】
しかしながら、上記従来の技術にあっては、単に、地図情報上に所定情報を付加するのみであるため、当該情報を付加してから一定期間が経過すると、ユーザは当該所定情報の内容やそれを付加したこと自体を忘れてしまう場合がある。そうすると、地図情報上に所定情報を付加しても、後にユーザがそれを有効に活用することができないという問題があった。
【０００６】
そこで、本発明は、地図情報上に付加した情報を有効かつ簡易に活用できる電子機器、プログラム及び情報報知方法を提供することを目的としている。
【課題を解決するための手段】
【０００７】
以上の課題を解決するため、請求項１に記載の発明の電子機器は、
現在位置情報を取得する位置情報取得手段と、
前記現在位置情報に基づく地図情報を取得する地図情報取得手段と、
所定の情報を連想させる互いに異なる複数の付加情報からいずれかの付加情報を選択する選択手段と、
ユーザの操作に基づき、前記地図情報において指定された指定地点に前記選択手段により選択された付加情報を付加する情報付加手段と、
前記地図情報とともに、前記情報付加手段により付加された付加情報及び対応する前記指定地点を表示する表示手段と、
前記選択手段により選択された付加情報に関する所定条件を満たしたときに、前記指定地点に付加された付加情報に対応する所定情報をユーザに報知する報知手段と、
を備えることを特徴とする。
【発明の効果】
【０００８】
本発明によれば、地図情報上に付加した情報を有効かつ簡易に活用できる電子機器、プログラム及び情報報知方法を提供することができる。
【図面の簡単な説明】
【０００９】
【図１】本実施形態の地図情報表示システムを示す概略構成図である。
【図２】スマートウォッチの機能構成を示すブロック図である。
【図３】スマートフォンの機能構成を示すブロック図である。
【図４】本実施形態に係る地図情報表示処理の一例を示すフローチャートである。
【図５】ユーザが地図情報を閲覧する際に表示される画面の一例を示す図である。
【図６】地図情報を拡大又は縮小する際に表示される画面の一例を示す図である。
【図７】地図情報上にアイコンを付加する際に表示される画面の一例を示す図である。
【図８】各種設定変更を行う際に表示される画面の一例を示す図である。
【図９】本実施形態に係るアイコン付加処理の一例を示す図である。
【図１０】ユーザが選択可能なアイコンの例を示す図である。
【図１１】メモ情報を記憶させる際に表示される画面の一例を示す図である。
【図１２】本実施形態に係る報知処理の一例を示すフローチャートである。
【図１３】ユーザに所定情報を報知する条件について説明する図である。
【図１４】アイコンに対応する所定情報が報知される際に表示される画面の一例を示す図である。
【図１５】ユーザが過去に付加されたアイコンの履歴を閲覧する際に表示される画面の一例を示す図である。
【図１６】所定の日付に付加されたアイコンの履歴の内容の一例を示す図である。
【図１７】記憶部の空き容量が不足した際に表示される画面の一例を示す図である。
【図１８】時間ごとの記憶部の空き容量の推移の一例を示すグラフである。
【図１９】変形例１に係る地図情報表示処理の一例を示すフローチャートである。
【図２０】変形例１に係る報知処理の一例を示すフローチャートである。
【図２１】変形例２に係るアイコン付加処理の一例を示すフローチャートである。
【発明を実施するための形態】
【００１０】
以下に、本発明を実施するための形態について図面を用いて説明する。ただし、以下に述べる実施形態には、本発明を実施するために技術的に好ましい種々の限定が付されているが、発明の範囲を以下の実施形態及び図示例に限定するものではない。
【００１１】
《地図情報表示システム１００の構成》
まず、図１を参照して、本実施形態の構成を説明する。図１は、本実施形態の地図情報表示システム１００の概略構成図である。
【００１２】
本実施形態の地図情報表示システム１００は、電子機器に画面表示される地図情報上に、選択されたアイコン（付加情報）を付加し、所定の条件を満たしたときに、当該アイコンに対応する情報をユーザに報知するシステムである。
【００１３】
図１に示すように、地図情報表示システム１００は、スマートウォッチ（電子機器）１と、スマートフォン２と、を備えて構成され、各装置が通信接続される。なお、本実施形態においては、スマートフォン２を備えて構成されているものとしたがこれに限られるものではない。すなわち、スマートフォン２に代えて、又はスマートフォン２に加えて、例えばタブレット端末、ナビゲーション端末、ＰＣ（personal computer）等のユーザ端末や、サーバ等を備えて構成されているものとしても良い。
【００１４】
《スマートウォッチ１の構成》
次いで、スマートウォッチ１の内部構成を説明する。図２に、スマートウォッチ１の内部構成を示す。
【００１５】
図２に示すように、スマートウォッチ１は、ＣＰＵ（Central Processing Unit）１０１と、操作入力部１０２と、ＲＡＭ（Random Access Memory）１０３と、表示部１０４と、記憶部１０５と、通信部１０６と、計時部１０７と、衛星電波受信モジュール１０８と、出力部１０９と、を備えて構成され、各部がバス１１０を介して接続されている。
【００１６】
ＣＰＵ１０１は、記憶部１０５に記憶されているシステムプログラムを読み出し、ＲＡＭ１０３のワークエリアに展開し、当該システムプログラムに従って各部を制御する。また、ＣＰＵ１０１は、記憶部１０５に記憶されている処理プログラムを読み出してワークエリアに展開し、後述する地図情報表示処理、アイコン付加処理及び報知処理のスマートウォッチ１側の処理を始めとする各種処理を実行し、位置情報取得手段、地図情報取得手段、選択手段、情報付加手段、報知手段、地図情報表示制御手段、ナビゲーション手段、付加情報表示制御手段、提示手段、感情情報取得手段、制御手段、文字列表示制御手段及び通信制御手段として機能する。
【００１７】
操作入力部１０２は、押しボタンスイッチ１０２ａ〜１０２ｃや、表示部１０４上に設けられるタッチセンサ等を有して構成され、ユーザの入力操作を受け付けて、操作内容を電気信号に変換してＣＰＵ１０１に出力する。また、操作入力部１０２は、マイク等により構成される音声入力部（図示略）を有し、ユーザにより入力された音声を電気信号に変換してＣＰＵ１０１に出力する。したがって、操作入力部１０２は、後述するメモ情報を入力するためのインターフェースをユーザに提供するインターフェース提供手段として機能する。
【００１８】
ＲＡＭ１０３は、揮発性のメモリーである。また、ＲＡＭ１０３は、実行される各種プログラムやこれら各種プログラムに係るデータ等を格納するワークエリアを有する。
【００１９】
表示部１０４は、ＬＣＤ（Liquid Crystal Display）、ＣＲＴ（Cathode Ray Tube）等で構成され、ＣＰＵ１０１からの表示制御信号に従って画面表示を行う。上記したように、表示部１０４の表示画面上にはタッチセンサが設けられている。したがって、表示部１０４は、地図情報とともにアイコンを表示する表示手段、後述するメモ情報を入力するためのインターフェースをユーザに提供するインターフェース提供手段、として機能する。
【００２０】
記憶部１０５は、磁気記録媒体を有するＨＤＤ（Hard Disk Drive）等により構成される。記憶部１０５には、ＣＰＵ１０１で実行されるシステムプログラムや処理プログラム、Ｗｅｂサーバプログラム等のアプリケーションプログラム、これらのプログラムの実行に必要なデータ等が記憶されている。処理プログラムには、後述する地図情報表示処理、アイコン付加処理、報知処理等のスマートウォッチ１側の処理を始めとする各種処理を実行するためのプログラムが含まれる。
これらのプログラムは、コンピュータ読み取り可能なプログラムコードの形態で記憶部１０５に格納されている。ＣＰＵ１０１は、当該プログラムコードに従った動作を逐次実行する。
【００２１】
また、記憶部１０５は、ユーザにより入力される各種データや、スマートフォン２から送信される各種データを記憶する。例えば、記憶部１０５は、ユーザにより付加されたアイコン、当該アイコンが付加された指定地点を示す指定地点情報、当該アイコンが付加された時刻を示す時刻情報、ユーザにより入力されるメモ情報、表示部１０４に表示される地図情報、ユーザの現在位置の履歴を示す位置履歴情報等を記憶することが可能に構成されている。
【００２２】
通信部１０６は、所定の無線通信回線（例えば、Bluetooth（登録商標）等の無線ＰＡＮ（Personal Area Network））を介して接続されたスマートフォン等の携帯装置や、ＰＣ等の外部機器との情報の通信制御を行う。そして、通信部１０６は、例えば、あらかじめペアリングと呼ばれる通信設定処理を行うことで、互いのデバイス情報や認証鍵のデータを無線信号により通信相手と交換する。これにより、その後、通信設定処理を毎回行わなくとも、例えば、スマートウォッチ１とスマートフォン２とが電波が届かない範囲に離れれば通信接続が解除される一方で、電波が届く範囲に近づけば自動的に通信接続される。
【００２３】
計時部１０７は、例えば、タイマや計時回路等を備えて構成され、現在の時刻を計時して時刻情報を取得する。そして、計時部１０７は、取得した時刻情報をＣＰＵ１０１に出力する。
【００２４】
衛星電波受信モジュール１０８は、図示略のアンテナを有し、ＧＰＳ（Global Positioning System）を始めとする測位システムに係る測位衛星からの電波を捕捉、受信して復調し、取得した現在位置情報や時刻情報をＣＰＵ１０１に出力する。衛星電波受信モジュール１０８は、スマートウォッチ１全体の電源操作とは別に、ユーザの操作に基づき個別に電源供給をオンオフする制御が可能となっている。
【００２５】
出力部１０９は、振動を発する振動モータやスピーカ等を有して構成され、ＣＰＵ１１から送られる信号に基づいて振動や音声を出力する。
【００２６】
《スマートフォン２の構成》
次いで、スマートフォン２の内部構成を説明する。図３に、スマートフォン２の内部構成を示す。
【００２７】
図３に示すように、スマートフォン２は、ＣＰＵ２０１と、操作入力部２０２と、ＲＡＭ２０３と、表示部２０４と、記憶部２０５と、通信部２０６と、計時部２０７と、衛星電波受信モジュール２０８と、出力部２０９とを備えて構成され、各部がバス２１０を介して接続されている。
【００２８】
ＣＰＵ２０１、操作入力部２０２、ＲＡＭ２０３、表示部２０４、記憶部２０５、通信部２０６、計時部２０７、衛星電波受信モジュール２０８及び出力部２０９は、それぞれ、スマートウォッチ１のＣＰＵ１０１、操作入力部１０２、ＲＡＭ１０３、表示部１０４、記憶部１０５、通信部１０６、計時部１０７、衛星電波受信モジュール１０８及び出力部１０９の構成と同様であり、異なる部分を主として説明する。
【００２９】
ＣＰＵ２０１は、記憶部２０５に記憶されているシステムプログラムを読み出し、ＲＡＭ２０３のワークエリアに展開し、当該システムプログラムに従って各部を制御する。また、ＣＰＵ２０１は、記憶部２０５に記憶されている処理プログラムを読み出してワークエリアに展開し、後述する地図情報表示処理及び報知処理のスマートフォン２側の処理を始めとする各種処理を実行する。
【００３０】
記憶部２０５は、磁気記録媒体を有するＨＤＤ等により構成される。記憶部２０５には、ＣＰＵ２０１で実行されるシステムプログラムや処理プログラム、Ｗｅｂブラウザ等のアプリケーションプログラム、これらのプログラムの実行に必要なデータ等が記憶されている。当該処理プログラムには、後述する地図情報表示処理及び報知処理のスマートフォン２側の処理を始めとする各種処理を実行するためのプログラムが含まれる。
【００３１】
通信部２０６は、ペアリングされたスマートウォッチ１や、通信ネットワーク上のサーバ（図示略）等の外部機器と通信を行い、データを送受信する。
【００３２】
《地図情報表示システム１００の動作》
上記のように構成される地図情報表示システム１００により行われる各種処理について、以下説明する。なお、以下に説明する各種処理は、スマートウォッチ１とスマートフォン２とが相互にデータ通信可能な状態にあることを前提とするものである。
【００３３】
（地図情報表示処理）
まず、本実施形態の地図情報表示システム１００により行われる地図情報表示処理について、図４〜図８を参照して説明する。図４は、本実施形態に係る地図情報表示処理の一例を示すフローチャートである。図５は、ユーザが地図情報を閲覧する際に表示部１０４に表示される画面の一例を示す図である。図６は、地図情報を拡大又は縮小させる際に表示部１０４に表示される画面の一例を示す図である。図７は、地図情報上にアイコンを付加する際に表示部１０４に表示される画面の一例を示す図である。図８は、各種設定変更を行う際に表示部１０４に表示される画面の一例を示す図である。
【００３４】
地図情報表示処理は、ユーザが地図情報を閲覧しようとする任意のタイミングで、スマートウォッチ１の操作入力部１０２により所定の操作がなされたときに行われる。
【００３５】
まず、図４に示すように、スマートウォッチ１のＣＰＵ１０１は、通信部１０６によりスマートフォン２に対して地図情報及び現在位置情報を要求する（ステップＳ１０１）。
【００３６】
次に、スマートフォン２のＣＰＵ２０１は、衛星電波受信モジュール２０８によりユーザの現在位置を示す現在位置情報を取得するとともに、通信部２０６により通信ネットワークを介して外部サーバから地図情報を取得し、通信部２０６により地図情報及び現在位置情報をスマートウォッチ１に送信する（ステップＳ１０２）。ここで取得する地図情報としては、取得した現在位置情報に基づくものであり、当該現在位置情報が示す現在位置を中心とした所定距離範囲内の地図情報である。
【００３７】
次に、スマートウォッチ１のＣＰＵ１０１は、通信部１０６により地図情報及び現在位置情報を取得する（ステップＳ１０３）。
【００３８】
次に、ＣＰＵ１０１は、取得した地図情報及び現在位置情報を表示部１０４に表示させる（ステップＳ１０４）。ここで、図５を参照して、表示部１０４に表示される地図情報について説明する。
【００３９】
表示部１０４には、例えば、図５（ａ）に示す画面Ｇ５ａが表示される。画面Ｇ５ａにおいては、ユーザの現在位置を示す現在地ピンＰ５１を中心に所定距離範囲内の地図が表示され、更に現在地ボタンＰ５２、ズームボタンＰ５３、メモ種類ボタンＰ５４、ファンクションドロワーＰ５５等が表示されている。地図情報上の現在地ピンＰ５１の位置は、ステップＳ１０３で取得した現在位置情報に基づき決定される。
【００４０】
画面Ｇ５ａが表示された状態で、ユーザにより表示部１０４がスワイプされると、ＣＰＵ１０１は、スワイプされる方向に応じて地図情報をスクロールさせ、現在地ピンＰ５１の周囲の地図情報、例えば図５（ｂ）に示す画面Ｇ５ｂを表示部１０４に表示させる。また、画面Ｇ５ｂが表示された状態で、ユーザにより現在地ボタンＰ５２がタップされると、ＣＰＵ１０１は、現在地ピンＰ５１を中心とした画面Ｇ５ａを再び表示部１０４に表示させる。
【００４１】
また、画面Ｇ５ａが表示された状態で、ユーザにより画面Ｇ５ａのズームボタンＰ５３がタップされるか、押しボタンスイッチ１０２ａが押下されると、ＣＰＵ１０１は、ズームボタンＰ５３が拡大ボタンＰ６１に、メモ種類ボタンＰ５４が縮小ボタンＰ６２に切り替わった画面Ｇ６ａを表示部１０４に表示させる（図６（ａ）参照）。画面Ｇ６ａが表示された状態で、ユーザにより拡大ボタンＰ６１がタップされるか、押しボタンスイッチ１０２ａが押下されるか、表示部１０４上でピンチアウト操作がなされると、ＣＰＵ１０１は、画面Ｇ６ａの地図が所定倍率拡大された画面Ｇ６ｂを表示部１０４に表示させる（図６（ｂ）参照）。同様に、画面Ｇ６ａが表示された状態で、ユーザにより縮小ボタンＰ６２がタップされるか、押しボタンスイッチ１０２ｃが押下されるか、表示部１０４上でピンチイン操作がなされると、ＣＰＵ１０１は、画面Ｇ６ａの地図が所定倍率縮小された画面Ｇ６ｃを表示部１０４に表示させる（図６（ｃ）参照）。なお、これらのように拡大又は縮小された地図情報が表示された状態であっても、ユーザにより表示部１０４がスワイプされると、そのスワイプされる方向に応じて現在地ピンＰ５１の周囲の地図情報が表示される。また、ユーザにより表示部１０４がスワイプされた後に、地図情報が拡大又は縮小されても良い。
【００４２】
また、画面Ｇ５ａが表示された状態で、ユーザによりメモ種類ボタンＰ５４がタップされるか、押しボタンスイッチ１０２ｃが押下されると、ＣＰＵ１０１は、ズームボタンＰ５３がマークボタンＰ７１に、メモ種類ボタンＰ５４がメモボタンＰ７２に切り替わった画面Ｇ７ａを表示部１０４に表示させる（図７（ａ）参照）。画面Ｇ７ａが表示された状態で、ユーザによりマークボタンＰ７１がタップされるか、押しボタンスイッチ１０２ａが押下されると、ＣＰＵ１０１は、後述する一覧表示画面Ｇ７ｂを表示部１０４に表示させる（図７（ｂ）参照）。また、画面Ｇ７ａが表示された状態で、ユーザによりメモボタンＰ７２がタップされるか、押しボタンスイッチ１０２ｃが押下されると、ＣＰＵ１０１は、後述する音声待受画面Ｇ７ｃを表示部１０４に表示させる（図７（ｃ）参照）。
【００４３】
また、画面Ｇ５ａが表示された状態で、ユーザによりファンクションドロワーＰ５５がタップされるか、表示部１０４の最下部から上方へスワイプされると、ＣＰＵ１０１は、図８に示すファンクションドロワー画面Ｇ８を表示部１０４に表示させる。ファンクションドロワー画面Ｇ８には、「▲」ボタンＰ８１、「声でメモ」ボタンＰ８２、「マーク」ボタンＰ８３、「履歴」ボタンＰ８４及び「設定」ボタンＰ８５が表示されている。ユーザにより「声でメモ」ボタンＰ８２がタップされると、ＣＰＵ１０１は、図７（ｃ）に示す音声待受画面Ｇ７ｃを表示部１０４に表示させる。また、ユーザにより「マーク」ボタンＰ８３がタップされると、ＣＰＵ１０１は、図７（ｂ）に示す一覧表示画面Ｇ７ｂを表示部１０４に表示させる。また、ユーザにより「履歴」ボタンＰ８４がタップされると、後述する図１５に示す画面Ｇ１５を表示部１０４に表示させる。また、ユーザにより「設定」ボタンＰ８５がタップされると、ＣＰＵ１０１は、各種設定変更を行う画面（図示略）を表示部１０４に表示させる。また、ユーザにより「▲」ボタンＰ８１がタップされるか、押しボタンスイッチ１０２ａ〜１０２ｃのいずれかが押下されると、ＣＰＵ１０１は、ファンクションドロワー画面Ｇ８の画面表示を終了し、例えば画面Ｇ５ａを表示部１０４に表示させる。なお、ファンクションドロワー画面Ｇ８が表示された状態で、ユーザによる操作が所定時間入力されない場合にも、ファンクションドロワー画面Ｇ８の画面表示を終了するものとしても良い。
【００４４】
また、画面Ｇ５ａ、Ｇ５ｂ、Ｇ６ａ〜Ｇ６ｃ等が表示部１０４に表示されている状態において、ユーザによる操作が所定時間入力されない場合、ＣＰＵ１０１は、表示部１０４から、現在地ボタンＰ５２、ズームボタンＰ５３、メモ種類ボタンＰ５４、ファンクションドロワーＰ５５、拡大ボタンＰ６１及び縮小ボタンＰ６２を消失させるようにしても良い。なお、これら各種ボタンＰ５２〜Ｐ５５、Ｐ６１、Ｐ６２を同時に消失させても良いし、経過時間に応じて順次消失させても良い。また、各種ボタンＰ５２〜Ｐ５５、Ｐ６１、Ｐ６２を消失させることなく、淡色化させる等により目立たない表現に変化させるものとしても良い。
【００４５】
次に、図４に示すように、ＣＰＵ１０１は、ユーザによりアイコン付加操作がなされたか否かを判定する（ステップＳ１０５）。具体的には、例えば図５に示す画面Ｇ５ａ、Ｇ５ｂ等が表示された状態で、ユーザによりメモ種類ボタンＰ５４がタップ（又は押しボタンスイッチ１０２ｃが押下）された後、マークボタンＰ７１がタップ（又は押しボタンスイッチ１０２ａが押下）された場合に、ＣＰＵ１０１はアイコン付加操作がなされたと判定する。また、例えば図８に示すファンクションドロワー画面Ｇ８が表示された状態で、ユーザにより「マーク」ボタンＰ８３がタップされた場合に、ＣＰＵ１０１はアイコン付加操作がなされたと判定する。
【００４６】
アイコン付加操作がなされたと判定されると（ステップＳ１０５；ＹＥＳ）、ＣＰＵ１０１は、表示された地図情報上に、選択されたアイコンを付加するアイコン付加処理を行う（ステップＳ１０６）。アイコン付加処理の詳細については後述する。
【００４７】
アイコン付加操作がなされないと判定されると（ステップＳ１０５；ＮＯ）、ＣＰＵ１０１は、ステップＳ１０６のアイコン付加処理を省略し、ステップＳ１０７の処理を行う。
【００４８】
次に、ＣＰＵ１０１は、ユーザの操作に基づき地図情報の表示を終了するか否かを判定する（ステップＳ１０７）。具体的には、例えば、図５に示す画面Ｇ５ａ、Ｇ５ｂ等が表示された状態で、ユーザにより押しボタンスイッチ１０２ｂが押下された場合に、ＣＰＵ１０１は、地図情報の表示を終了すると判定する。
【００４９】
地図情報の表示を終了しないと判定されると（ステップＳ１０７；ＮＯ）、ＣＰＵ１０１は、ステップＳ１０１の処理を行う。すなわち、ＣＰＵ１０１は、スマートフォン２に対して現在位置情報及び地図情報を要求して再度取得する。これにより、ユーザが移動した場合には、表示部１０４上の現在地ピンＰ５１も現在地に対応する位置に移動し、現在地ピンＰ５１が表示部１０４の中心に位置するように地図情報が自動でスクロールされて再表示される。また、ステップＳ１０６の処理で地図情報上に一度アイコンを付加した後、地図情報上に更にアイコンを付加することができる。この場合、地図情報上の同じ地点にアイコンを付加しても良いし、地図情報上の他の地点にアイコンを付加しても良い。
【００５０】
地図情報の表示を終了すると判定されると（ステップＳ１０７；ＹＥＳ）、ＣＰＵ１０１は、地図情報表示処理を終了する。
【００５１】
（アイコン付加処理）
次に、本実施形態の地図情報表示システム１００により行われるアイコン付加処理について、図９〜図１１を参照して説明する。図９は、本実施形態に係るアイコン付加処理の一例を示すフローチャートである。図１０は、ユーザが選択可能なアイコンの例を示す図である。図１１は、メモ情報を記憶させる際に表示部１０４に表示される画面の一例を示す図である。
【００５２】
図９に示すように、まず、スマートウォッチ１のＣＰＵ１０１は、例えば図７（ｂ）に示す一覧表示画面Ｇ７ｂを表示部１０４に表示させることで、複数のアイコンを提示する（ステップＳ２０１）。
【００５３】
図７（ｂ）に示すように、一覧表示画面Ｇ７ｂには、上下方向に配列される互いに異なる複数のアイコンのうち、枠状のカーソルで囲われたアイコンと当該アイコンに隣接して配置されるアイコンが表示される。表示部１０４に表示される際、当該カーソルは、最上段に配置されるアイコンを囲うように配置される。また、図７（ｂ）に示す例においては、後述する特定のアイコンＡ１が最上段に配置されているものとしたが、ＣＰＵ１０１は、ユーザにより直前に選択されたアイコンが最上段に配置されるように表示部１０４に表示させる。一覧表示画面Ｇ７ｂが表示された状態で、ユーザによりアイコン確定ボタンＰ７３がタップされるか、押しボタンスイッチ１０２ａが押下されると、ＣＰＵ１０１は、カーソルで囲われたアイコンを選択し、当該アイコンを地図情報上に付加する。また、一覧表示画面Ｇ７ｂが表示された状態で、ユーザによりめくりボタンＰ７４がタップされるか、押しボタンスイッチ１０２ｃが押下されると、ＣＰＵ１０１は、カーソルを一つ下のアイコンを囲う位置に移動させ、当該アイコンと当該アイコンに隣接するアイコンを表示部１０４に表示させる。ユーザが選択可能なアイコンの一例を図１０に示す。図１０に示すように、これらのアイコンはいずれも何らかの所定の情報を連想させるものであり、互いに異なる。これらのアイコンは記憶部１０５に記憶されており、ユーザはスマートウォッチ１を操作することにより、そのときの状況に適したアイコンを選択することができる。
【００５４】
ここで、ステップＳ２０１の処理においては、記憶部１０５に記憶されている全てのアイコンを表示部１０４に表示させることで提示するものでなくとも良く、ＣＰＵ１０１が抽出したアイコンのみを表示部１０４に表示させることで提示するものとしても良い。例えば、ＣＰＵ１０１は、上記地図情報表示処理におけるステップＳ１０３の処理でスマートフォン２から取得した現在位置情報に基づいて、いずれか一つ以上のアイコンを抽出するものとしても良い。
【００５５】
具体的には、ＣＰＵ１０１は、取得した現在位置情報が示す現在位置に対応したアイコンを抽出するものとしても良い。例えば、現在位置が川や湖、海等の近辺である場合には、図１０に示す「魚」を連想させるアイコンＡ７や、「ボート」を連想させるアイコンＡ１０を含む複数のアイコンを抽出するものとしても良い。また、現在位置が山等の標高の高い地点である場合には、図１０に示す「山」を連想させるアイコンＡ８や、「動物」を連想させるアイコンＡ９を含む複数のアイコンを抽出するものとしても良い。さらに、ＣＰＵ１０１は、現在位置情報のみならず、例えば、現在位置の履歴、移動距離、移動速度、日時、気温、湿度、気圧、ユーザの心拍数又はそれらの変化量等の各種情報を取得し、これらに基づきユーザの行動を解析して、その状況に適したアイコンを抽出するものとしても良い。この場合には、スマートウォッチ１が各種情報を検出するセンサー等を備えていても良いし、ＣＰＵ１０１がスマートフォン２等の外部から各種情報を取得するものとしても良い。
【００５６】
次に、図９に示すように、ＣＰＵ１０１は、アイコンが選択されたか否かを判定する（ステップＳ２０２）。具体的には、一覧表示画面Ｇ７ｂが表示された状態で、ユーザによりアイコン確定ボタンＰ７３がタップ（又は押しボタンスイッチ１０２ａが押下）された場合に、ＣＰＵ１０１は、アイコンが選択されたと判定する。また、一覧表示画面Ｇ７ｂが表示された状態で、ユーザによる操作が所定時間入力されない場合や、押しボタンスイッチ１０２ｂが押下された場合に、ＣＰＵ１０１は、アイコンが選択されないと判定する。
【００５７】
アイコンが選択されないと判定されると（ステップＳ２０２；ＮＯ）、ＣＰＵ１０１は、後述するステップＳ２０３〜Ｓ２０７の処理を省略してアイコン付加処理を終了する。
【００５８】
アイコンが選択されたと判定されると（ステップＳ２０２；ＹＥＳ）、ＣＰＵ１０１は、選択されたアイコンが特定のアイコンであるか否かを判定する（ステップＳ２０３）。すなわち、ＣＰＵ１０１は、選択されたアイコンがアイコンＡ１であるか否かを判定する。
【００５９】
選択されたアイコンが特定のアイコンＡ１でないと判定されると（ステップＳ２０３；ＮＯ）、ＣＰＵ１０１は、後述するステップＳ２０４、Ｓ２０５の処理を省略し、後述するステップＳ２０６の処理を行う。
【００６０】
選択されたアイコンが特定のアイコンＡ１であると判定されると（ステップＳ２０３；ＹＥＳ）、ＣＰＵ１０１は、アイコンに対応する情報として、メモ情報が入力されたか否かを判定する（ステップＳ２０４）。
【００６１】
ここで、ＣＰＵ１０１は、選択されたアイコンが特定のアイコンＡ１である場合には、所定条件を満たしたときにユーザに対して所定情報を報知することの確認画面、例えば「この地点に近づいたときに通知が来ます。」と表示された画面Ｇ１１ａを表示部１０４に表示させる（図１１（ａ）参照）。このように、特定のアイコンＡ１は、地図情報上に付加されることで、所定条件を満たしたときに所定情報をユーザに対して報知する機能を有する。
【００６２】
画面Ｇ１１ａが表示された状態で、ユーザにより「メモも残す」ボタンＰ１１１がタップされるか、押しボタンスイッチ１０２ｃが押下された場合に、ＣＰＵ１０１は、図７（ｃ）に示す音声待受画面Ｇ７ｃを表示部１０４に表示させ、更にユーザにより音声が入力された場合に、メモ情報が入力されたと判定する。具体的には、音声待受画面Ｇ７ｃが表示された状態で、ユーザがスマートウォッチ１に向けて声を発すると、操作入力部１０２のマイクを介してその音声が入力される。画面Ｇ１１ａが表示された状態で、ユーザにより「ＯＫ」ボタンＰ１１２がタップされるか、押しボタンスイッチ１０２ａ又は１０２ｂが押下されるか、ユーザによる操作が所定時間入力されない場合に、ＣＰＵ１０１は、メモ情報が入力されないと判定する。
【００６３】
メモ情報が入力されたと判定されると（ステップＳ２０４；ＹＥＳ）、ＣＰＵ１０１は、入力された音声を文字列に変換し、その文字列をメモ情報として記憶部１０５に記憶させるとともに、入力された音声から感情情報を取得して記憶部１０５に記憶させる（ステップＳ２０５）。感情情報の取得方法としては従来公知の技術を採用することができ、これによりＣＰＵ１０１は、ユーザにより入力された音声を解析して、当該ユーザの感情を示す感情情報を取得する。本実施形態では、感情情報は、音声を入力したユーザの感情が、「苦しみ・怒り」、「不安」、「安定」及び「喜び」のいずれかの状態であること示す。
なお、ＣＰＵ１０１は、入力された音声を、変換された文字列とともに又は当該文字列に代えてメモ情報として記憶部１０５に記憶させるものとしても良い。また、入力された音声を文字列に代えてメモ情報として記憶させる場合には、後述する各種処理において文字列を表示する代わりに当該音声を出力する。
【００６４】
メモ情報が入力されないと判定されると（ステップＳ２０４；ＮＯ）、ＣＰＵ１０１は、ステップＳ２０５の処理を省略し、後述するステップＳ２０６の処理を行う。
【００６５】
次に、ＣＰＵ１０１は、選択されたアイコンを、現在位置を指定地点として当該指定地点を示す指定地点情報と対応付けて記憶部１０５に記憶させる（ステップＳ２０６）。このときＣＰＵ１０１は、計時部１０７により現在の時刻を計時して時刻情報を取得し、選択されたアイコンとともに当該時刻情報を記憶部１０５に記憶させる。
【００６６】
次に、ＣＰＵ１０１は、上記した各種情報を記憶部１０５に記憶させた後、地図情報上の現在位置（指定地点）に、選択されたアイコンが付加された画面、例えば図１１（ｂ）に示す画面Ｇ１１ｂを表示部１０４に表示させる（ステップＳ２０７）。ここで、選択されたアイコンが特定のアイコンＡ１である場合であって、当該特定のアイコンＡ１に対応してメモ情報が入力された場合には、当該メモ情報とともに感情情報が記憶部１０５に記憶されている。したがってＣＰＵ１０１は、記憶部１０５に記憶される感情情報に基づいて、当該特定のアイコンＡ１の色調を変化させた上で表示部１０４に表示させる。より具体的には、ＣＰＵ１０１は、特定のアイコンＡ１の色調を、感情情報が「苦しみ・怒り」を示す場合には赤色、「不安」を示す場合には青色、「安定」を示す場合には緑色、「喜び」を示す場合には「黄色」に例えば変化させて表示させる。
【００６７】
また、画面Ｇ１１ｂが表示された状態で、ユーザにより特定のアイコンＡ１がタップされた場合であって、当該特定のアイコンＡ１に対応してメモ情報が記憶されている場合には、ＣＰＵ１０１は、当該メモ情報としての文字列を表示部１０４に表示させる。この場合、後述するように、ＣＰＵ１０１は、メモ情報とともに記憶された感情情報に基づいて、当該文字列の表示態様を変化させた上で表示部１０４に表示させるものとしても良い。
【００６８】
以上のようにしてアイコン付加処理を行う。
【００６９】
なお、上記アイコン付加処理においては、一覧表示画面Ｇ７ｂに一覧表示された複数のアイコンからユーザにより選択されたものを付加するものとしたが、これに限られるものではない。すなわち、図７（ａ）に示す画面Ｇ７ａが表示された状態で、ユーザによりメモボタンＰ７２がタップ（又は押しボタンスイッチ１０２ｃが押下）され、図７（ｃ）に示す音声待受画面Ｇ７ｃが表示され、更にユーザにより音声が入力されることによって、アイコンを付加するものとしても良い。具体的には、ＣＰＵ１０１は、音声待受画面Ｇ７ｃが表示された状態でマイクを介して入力された音声を、現在位置情報と対応付けて記憶部１０５に記憶させる。これと同時に、ＣＰＵ１０１は、入力された音声を解析して感情情報を取得し、取得された感情情報を音声とともに記憶部１０５に記憶させる。音声及び感情情報を記憶部１０５に記憶させた後、ＣＰＵ１０１は、その地点において音声が入力されたことを示すアイコンＡ１１を、感情情報に基づいて色調を変化させた上で地図情報上の現在位置に付加し、例えば図７（ｄ）に示す画面Ｇ７ｄを表示部１０４に表示させる。ユーザにより画面Ｇ７ｄのアイコンＡ１１がタップされると、ＣＰＵ１０１は、入力された音声を出力部１０９に再生させる。なお、ＣＰＵ１０１は、入力された音声を文字列に変換し、その文字列を当該音声とともに又は当該音声の代わりに記憶部１０５に記憶するものとしても良い。また、その場合には、ユーザにより画面Ｇ７ｄのアイコンＡ１１がタップされたときに、ＣＰＵ１０１は、後述するように、感情情報に基づいて当該文字列の表示態様を変化させた上で表示部１０４に表示させるものとしても良い。
【００７０】
また、上記アイコン付加処理においては、現在位置情報が示す現在位置を指定地点としてアイコンを付加するものとしたが、地図情報上のユーザにより選択された位置を指定地点としてアイコンを付加するものとしても良い。この場合には、例えば、図５（ｂ）に示す画面Ｇ５ｂのように、現在位置の周囲の地図情報を表示部１０４に表示させた上で、マークボタンＰ７１のタップ等の上記所定操作を行うことで、表示部１０４の中心位置にアイコンを付加することができる。
【００７１】
（報知処理）
続いて、本実施形態の地図情報表示システム１００により行われる報知処理について、図１２〜図１４を参照して説明する。図１２は、本実施形態に係る報知処理の一例を示すフローチャートである。図１３は、ユーザに所定情報を報知する条件について説明する図である。図１４は、所定情報が報知される際に表示部１０４に表示される画面の一例を示す図である。
【００７２】
報知処理は、スマートフォン２の衛星電波受信モジュール２０８の電源供給がオンになっている限り継続して行われる。また、報知処理は、上記アイコン付加処理にて特定のアイコンＡ１が地図情報上に付加されている場合にのみ行われ、特定のアイコンＡ１が地図情報上に付加されていない場合には行われない。地図情報上に特定のアイコンＡ１が複数付加されている場合には、それぞれについて行われる。
【００７３】
図１２に示すように、まず、スマートウォッチ１のＣＰＵ１０１は、特定のアイコンＡ１が付加された時の時刻から所定時間が経過しているか否かを判定する（ステップＳ３０１）。具体的には、ＣＰＵ１０１は、記憶部１０５にアイコンとともに記憶された時刻情報に基づき、当該時刻情報が示す時刻から、例えば１日以上経過しているか否かを判定する。これにより、ユーザが指定地点にアイコンを付加した時からほとんど時間が経過していない場合等に所定情報が報知されることを防止することができ、ユーザに頻繁に情報が報知されることを抑制して利便性を向上させることができる。
【００７４】
所定時間が経過していないと判定されると（ステップＳ３０１；ＮＯ）、ＣＰＵ１０１は、再びステップＳ３０１の処理を行う。所定時間が経過したと判定されると（ステップＳ３０１；ＹＥＳ）、ＣＰＵ１０１は、通信部１０６によりスマートフォン２に対して現在位置情報を要求する（ステップＳ３０２）。
【００７５】
次に、スマートフォン２のＣＰＵ２０１は、衛星電波受信モジュール２０８によりユーザの現在位置を示す現在位置情報を取得し、通信部２０６により現在位置情報をスマートウォッチ１に送信する（ステップＳ３０３）。
【００７６】
次に、スマートウォッチ１のＣＰＵ１０１は、通信部１０６により現在位置情報を取得する（ステップＳ３０４）。
【００７７】
次に、ＣＰＵ１０１は、ステップＳ３０４の処理にて取得した現在位置情報が示す現在位置が、特定のアイコンＡ１が付加された指定地点から所定距離範囲内に存在するか否かを判定する（ステップＳ３０５）。具体的には、ＣＰＵ１０１は、例えば図１３に示すように、取得した現在位置情報が示す現在位置が、特定のアイコンＡ１が付加された指定地点Ｐ１３１から半径５ｋｍ圏内である破線領域Ｌ内に存在するか否かを判定する。これにより、特定のアイコンＡ１を付加した指定地点にユーザが接近した場合にだけ、所定情報を報知することができ、ユーザに頻繁に情報が報知されることを抑制して利便性を向上させることができる。また、特定のアイコンＡ１に対応する感情情報が記憶部１０５に記憶されている場合には、ＣＰＵ１０１は、当該感情情報に基づき、判定する距離の範囲を変更する。例えば、感情情報が「安定」を示す場合には上記したように現在位置が指定地点から半径５ｋｍ圏内に存在するか否かを判定するものとし、感情情報が「喜び」を示す場合には現在位置が指定地点から半径１０ｋｍ圏内に存在するか否かを判定するものとし、感情情報が「苦しみ・怒り」や「不安」を示す場合には現在位置が指定地点から半径３ｋｍ圏内に存在するか否かを判定するものとする。
【００７８】
図１２に示すように、指定地点から所定距離範囲内に存在しないと判定されると（ステップＳ３０５；ＮＯ）、ＣＰＵ１０１は、再びステップＳ３０２の処理を行う。
【００７９】
指定地点から所定距離範囲内に存在すると判定されると（ステップＳ３０５；ＹＥＳ）、ＣＰＵ１０１は、当該指定地点に付加された特定のアイコンＡ１に対応するメモ情報の有無を判定する（ステップＳ３０６）。
【００８０】
メモ情報があると判定されると（ステップＳ３０６；ＹＥＳ）、ＣＰＵ１０１は、記憶部１０５から当該メモ情報、及び対応する感情情報を取得する（ステップＳ３０７）。一方、メモ情報がないと判定されると（ステップＳ３０６；ＮＯ）、ＣＰＵ１０１は、ステップＳ３０７の処理を省略する。
【００８１】
次に、スマートウォッチ１のＣＰＵ１０１は、アイコンに対応する所定情報をユーザに報知する（ステップＳ３０８）。具体的には、ＣＰＵ１０１は、特定のアイコンＡ１を表示部１０４に表示させることで指定地点に接近したことをユーザに報知するとともに、ステップＳ３０７の処理でメモ情報を取得した場合には併せてこれを報知する。また、ステップＳ３０７の処理で感情情報を取得した場合には、取得された感情情報に基づいて特定のアイコンＡ１の色調及びメモ情報の表示態様を変化させた上でこれらを表示部１０４に表示させて報知を行う。具体的には、ＣＰＵ１０１は、例えば、図１４（ａ）に示す画面Ｇ１４ａを表示部１０４に表示させる。画面Ｇ１４ａのメモ情報表示領域Ｐ１４１には、特定のアイコンＡ１が、ステップＳ３０７の処理で取得された感情情報に基づく色調で表示され、かつ、ステップＳ３０７の処理で取得された「天せいろが抜群」のメモ情報が、ステップＳ３０７の処理で取得された感情情報に基づく表示態様で表示されている。すなわち、ＣＰＵ１０１は、ステップＳ３０７の処理で取得された感情情報に基づき、特定のアイコンＡ１の色調及びメモ情報の表示態様を変化させた上で表示させるものであり、図１４（ａ）に示す画面Ｇ１４ａにおいては感情情報が「安定」を示す場合の例を示している。例えば、ＣＰＵ１０１は、感情情報が「喜び」を示す場合には、図１４（ｃ）に示す画面Ｇ１４ｃを表示部１０４に表示させる。また、感情情報が「苦しみ・怒り」や「不安」を示す場合についても、それらの感情情報に応じて特定のアイコンＡ１の色調及びメモ情報の表示態様をそれぞれ変化させた画面（図示略）を表示させる。
【００８２】
ここで、本発明において「報知する」とは、表示部１０４による地図情報、アイコン及び指定地点の表示とは異なる態様、かつ表示部１０４による地図情報、アイコン及び指定地点の表示よりも報知効果が高い態様で、所定情報をユーザに通知するとともに、これをユーザに気付かせることをいう。また、「報知効果が高い」とは、アイコンに対応する所定情報の存在をよりユーザに気付かせやすいことをいう。本発明における報知としては、例えば、特定のアイコンＡ１を表示部１０４に表示させたり、図１４に示す画面Ｇ１４ａや画面Ｇ１４ｃを表示部１０４に表示させたり、表示部１０４に特定のアイコンＡ１を強調して表示させたり、出力部１０９により音声や振動等を出力させたり、これらを組み合わせて行ったりすることが挙げられる。さらに、取得された感情情報に基づいてそれら報知の方法を変化させるものとしても良く、例えば、感情情報に応じて異なる振動を出力部１０９に出力させたり、感情情報が「安定」や「喜び」を示す場合には出力部１０９によりポジティブなメロディーを再生させたりすることが挙げられる。
したがって、ユーザが移動して指定地点に接近することで表示部１０４に表示される地図情報が逐次スクロールされ、その結果として地図情報上に付加されたアイコンそのものが表示部１０４に表示されるような態様は含まれない。すなわち、本発明における報知は、単にユーザが移動して指定地点に接近した結果、地図情報上に付加されたアイコンそのものが表示部１０４に現れる態様よりも、これをユーザに気付かせるという報知効果が高いものである。
【００８３】
また、画面Ｇ１４ａや画面Ｇ１４ｃ等が表示された状態において、ユーザにより表示部１０４のいずれかがタップされると、ＣＰＵ１０１は、例えば図１４（ｂ）に示す画面Ｇ１４ｂを表示部１０４に表示させる。画面Ｇ１４ｂには、「地図で見る」ボタンＰ１４２及び「ここへナビ」ボタンＰ１４３が表示されている。
【００８４】
次に、図１２に示すように、ＣＰＵ１０１は、ナビゲーションを実行するか否かを判定する（ステップＳ３０９）。具体的には、図１４（ｂ）に示す画面Ｇ１４ｂが表示部１０４に表示された状態で、ユーザにより「ここへナビ」ボタンＰ１４３がタップされた場合に、ＣＰＵ１０１は、ナビゲーションを実行すると判定する。
【００８５】
ナビゲーションを実行すると判定されると（ステップＳ３０９；ＹＥＳ）、ＣＰＵ１０１は、ナビゲーションを実行する（ステップＳ３１０）。具体的には、ＣＰＵ１０１は、現在位置情報及び地図情報に基づき、現在位置から指定地点までの経路案内を表示部１０４に表示させたり、出力部１０９により音声案内を出力したりする等、公知の方法でナビゲーションを行う。ナビゲーション実行後、ＣＰＵ１０１は、再びステップＳ３０１の処理を行う。
【００８６】
一方、ナビゲーションを実行しないと判定されると（ステップＳ３０９；ＮＯ）、ＣＰＵ１０１は、地図情報を表示するか否かを判定する（ステップＳ３１１）。具体的には、図１４（ｂ）に示す画面Ｇ１４ｂが表示部１０４に表示された状態で、ユーザにより「地図で見る」ボタンＰ１４２がタップされた場合に、ＣＰＵ１０１は、地図情報を表示すると判定する。
【００８７】
地図情報を表示すると判定されると（ステップＳ３１１；ＹＥＳ）、ＣＰＵ１０１は、地図情報を表示部１０４に表示させる（ステップＳ３１２）。具体的には、ＣＰＵ１０１は、図４に示す地図情報表示処理のステップＳ１０１〜Ｓ１０４に示すようにして、画面Ｇ１４ｂを切り替えて、図１３に示す破線領域Ｌと略同様の領域の地図情報を特定のアイコンＡ１とともに表示部１０４に表示させる。このようにしてＣＰＵ１０１は特定のアイコンＡ１が指定地点に重畳された地図情報を表示させる。地図情報を表示させた後、ＣＰＵ１０１は、再びステップＳ３０１の処理を行う。
【００８８】
地図情報を表示しないと判定されると（ステップＳ３１１；ＮＯ）、ＣＰＵ１０１は、ステップＳ３１２の処理を省略し、再びステップＳ３０１の処理を行う。
【００８９】
以上のようにして報知処理を行い、所定条件を満たす度にＣＰＵ１０１は繰り返しユーザに所定情報を報知する。
【００９０】
なお、上記した報知処理においては、所定条件を満たす度に繰り返しユーザに所定情報を報知するものとしたが、これに限られるものではない。例えば、ユーザの操作により記憶部１０５に記憶される特定のアイコンＡ１に関する情報が削除されたり、ユーザの操作により所定条件を満たしても報知を行わないように設定変更されたり、ユーザの操作により報知処理を行うアプリケーションが終了させられたりした場合に、当該報知処理を終了するものとしても良い。また、例えば、ユーザに所定情報を報知した後、ＣＰＵ１０１は、前回所定情報を報知した時から所定時間が経過しているか否かを判定し、所定時間が経過していると判定された場合に、再びステップＳ３０１を行うものとしても良い。
【００９１】
また、ステップＳ３０１の処理において、１日以上経過しているか否かを判定するものとしたが、これに限られるものではない。例えば、２時間以上、６時間以上、１週間以上、１か月以上経過しているか否かを判定するものとしても良い。
また、ステップＳ３０５の処理において、特定のアイコンＡ１が付加された指定地点から半径５ｋｍ圏内に現在位置が存在するか否かを判定するものとしたが、これに限られるものではない。例えば、半径１ｋｍ圏内、半径１０ｋｍ圏内、半径５０ｋｍ圏内に現在位置が存在するか否かを判定するものとしても良い。
また、地図情報上に特定のアイコンＡ１が複数付加されている場合には、特定のアイコンＡ１ごとにステップＳ３０１、Ｓ３０５で判定する条件を異なるものとしても良い。また、後述するように、それらをユーザの操作に基づき設定変更可能としても良い。
【００９２】
また、上記報知処理では、ＣＰＵ１０１が、ステップＳ３０５の処理において判定される距離の閾値を、そのアイコンに対応する感情情報に基づいて変更するものとしたが、これに限られるものではない。例えば、これに加えて又はこれに代えて、ＣＰＵ１０１は、ステップＳ３０１の処理において判定される時間の閾値を、そのアイコンに対応する感情情報に基づいて変更するものとしても良い。
【００９３】
（その他の動作）
上記以外に、本実施形態の地図情報表示システム１００の動作について、図１５〜図１８を参照して説明する。図１５は、過去に付加されたアイコンの履歴をユーザが確認する際に表示部１０４に表示される画面の一例を示す図である。図１６は、所定の日付に付加されたアイコンの履歴の一例を示す図である。図１７は、記憶部の空き容量が不足した際に表示部１０４に表示される画面の一例を示す図である。図１８は、記憶部の空き容量の時間ごとの推移の一例を示すグラフである。
【００９４】
スマートウォッチ１は、ユーザにより過去に地図情報上に付加されたアイコンの履歴を表示する機能を有する。
【００９５】
例えば、スマートウォッチ１の表示部１０４に、図８に示すファンクションドロワー画面Ｇ８が表示された状態で、ユーザにより「履歴」ボタンＰ８４がタップされると、ＣＰＵ１０１は、図１５に示す画面Ｇ１５を表示部１０４に表示させる。画面Ｇ１５は、過去にユーザにより地図情報上にアイコンが付加された日付が一覧表示された画面である。画面Ｇ１５には、アイコンが付加された日付が上下方向に配列され、現在の日付に近いものほど上部に配置される。ＣＰＵ１０１は、ユーザによる操作に基づき画面Ｇ１５をスクロールさせ、他の日付を表示部１０４に表示させる。表示部１０４に表示される複数の日付のうちのいずれか、例えば「２０１７−５−３０  Ｔｕｅ」がユーザによりタップされると、ＣＰＵ１０１は、２０１７年５月３０日にユーザによって付加されたアイコンを、例えば図１６に示すように表示部１０４に一覧表示する。表示部１０４には、「２０１７−５−３０  Ｔｕｅ」の日付の下方に「地図で見る」ボタンＰ１６１が表示される。また、「地図で見る」ボタンＰ１６１の下方には、２０１７年５月３０日に付加された全てのアイコンとともに、そのアイコンが付加された時刻、及びそのアイコンに対応するメモ情報がある場合にはそのメモ情報が表示される。これにより、ユーザは、過去に自分が付加したアイコンを見直すことができ、それらを有効に活用することができる。ユーザにより「地図で見る」ボタンＰ１６１がタップされると、ＣＰＵ１０１は、２０１７年５月３０日にアイコンが付加された各指定地点を示す地図情報を表示部１０４に表示させる。それらのアイコンが広域にわたって付加されている場合には、それらの全てが表示部１０４に収まるような縮尺で地図情報を表示させるものとしても良いし、それらのうちの一部が表示部１０４に収まるような縮尺で地図情報を表示させるものとしても良い。また、一覧表示されたアイコンのうちのいずれかがユーザによりタップされた場合、ＣＰＵ１０１は、そのアイコンが付加された指定地点を示す地図情報の表示、当該指定地点へのナビゲーションの実行、そのアイコン及びそれに関連する情報の削除等を選択する画面を表示部１０４に表示させる。また、図１６に示すような画面が表示された状態で、「２０１７−５−３０  Ｔｕｅ」がユーザによりタップされるか、押しボタンスイッチ１０２ｂが押下されると、ＣＰＵ１０１は、過去にアイコンが付加された日付が一覧表示された画面Ｇ１５を再び表示部１０４に表示させる。
【００９６】
また、スマートウォッチ１は、記憶部１０５にアイコン、指定地点情報、時刻情報、メモ情報等が記憶されることにより、記憶部１０５のストレージ容量が不足した場合に、これをユーザに通知する機能を有する。
【００９７】
例えば、ＣＰＵ１０１は、記憶部１０５のストレージの空き容量が閾値以下であるか否かを所定のタイミングで判定し、閾値以下であると判定されたときに、例えば図１７に示す画面Ｇ１７を表示部１０４に表示させ、容量不足であることを通知する。画面Ｇ１７には、「履歴の容量がいっぱいになったため、古い履歴から順に削除します」のメッセージが表示され、その下方に「確認」ボタンＰ１７１が表示されている。ユーザにより「確認」ボタンＰ１７１がタップされると、ＣＰＵ１０１は、画面Ｇ１７の表示を終了する。
【００９８】
また、上記した容量不足通知を繰り返し行うことは、ユーザにとって煩雑であるため、ＣＰＵ１０１は、容量不足通知を一度行ってから、記憶部１０５の空き容量が閾値に対して±５％の範囲を外れるまでは再度の容量不足通知を行わない。すなわち、例えば、ユーザが過去に付加されたアイコンやメモ情報等を削除する等の操作を行った場合には、記憶部１０５の空き容量が増大し、閾値に対して±５％の範囲を外れることとなる。この場合には、容量不足通知の履歴を削除し、再び記憶部１０５の空き容量が閾値以下であると判定されたときに容量不足通知を行う。記憶部１０５の空き容量の時間ごとの推移の一例を図１８に示す。図１８に示すように、空き容量が閾値以下となったタイミングＴ１で容量不足通知を行い、空き容量が閾値の±５％の範囲Ｒを外れたタイミングＴ２で容量不足通知の履歴を削除する。そして、再び空き容量が閾値以下となったタイミングＴ３で再び容量不足通知を行う。
【００９９】
また、スマートウォッチ１は、上記した各種処理及び機能の設定を変更する機能を有する。
【０１００】
例えば、スマートウォッチ１の表示部１０４に、図８に示すファンクションドロワー画面Ｇ８が表示された状態で、ユーザにより「設定」ボタンＰ８５がタップされると、ＣＰＵ１０１は、各種設定を変更する画面（図示略）を表示部１０４に表示させる。これにより、ユーザは、例えば、上記報知処理における条件（アイコンが指定地点に付加された時刻からの経過時間、指定地点からの距離範囲等）の変更操作、地図の種類の変更操作、報知処理を実行させないように変更させる操作等を行うことができる。
【０１０１】
《本実施形態の技術的効果》
本実施形態によれば、スマートウォッチ１が、現在位置情報を取得し、当該現在位置情報に基づく地図情報を取得し、所定の情報を連想させる互いに異なる複数のアイコンからいずれかのアイコンを選択し、ユーザの操作に基づき地図情報において指定された指定地点にアイコンを付加し、選択されたアイコンに関する所定条件を満たしたときに指定地点に付加されたアイコンに対応する所定情報をユーザに報知するＣＰＵ１０１と、地図情報とともにＣＰＵ１０１により付加されたアイコン及び対応する指定地点を表示する表示部１０４と、を備えるので、ユーザは、過去に付加されたアイコンを積極的に見直したり確認したりすることなく、所定情報を得ることができる。したがって、ユーザは地図情報上に付加した情報を有効かつ簡易に活用することができる。
【０１０２】
また、ＣＰＵ１０１が、アイコンに対応する所定情報を、表示部１０４による表示とは異なる態様で、かつ表示部１０４による表示よりも報知効果が高い態様でユーザに報知するので、ユーザは所定情報が報知されたことに気付きやすい。
【０１０３】
また、ＣＰＵ１０１が、指定地点に付加されたアイコンに対応する所定情報をユーザに報知した後に、再度、所定条件を満たしたときには指定地点に付加されたアイコンに対応する所定情報をユーザに報知するので、複数回にわたってユーザに所定情報を報知することができる。これにより、ユーザは地図情報上に付加した情報をより有効に活用することができる。
【０１０４】
また、ＣＰＵ１０１が、ユーザが移動して指定地点に接近した結果、地図情報上に付加された付加情報そのものが表示部１０４に表示される態様とは異なる態様で、付加情報に対応する所定情報を報知するので、ユーザは地図情報上に付加された情報があることをより確実に気付くことができ、当該情報をより確実に有効活用することができる。
【０１０５】
また、ＣＰＵ１０１が、現在位置情報が示す現在位置が、指定地点から所定距離範囲内に存在するときに、アイコンに対応する所定情報をユーザに報知するので、ユーザがアイコンを付加した指定地点に近付いたときにのみ所定情報を報知させることができる。これにより、ユーザに頻繁に情報が報知されることを抑制し、利便性を向上させることができる。
【０１０６】
また、ＣＰＵ１０１が、指定地点にアイコンが付加された時からの経過時間に基づき、アイコンに対応する所定情報をユーザに報知するので、一定時間経過した後にのみ所定情報を報知させることができる。これにより、ユーザに頻繁に情報が報知されることを抑制し、利便性を向上させることができる。
【０１０７】
また、アイコンに対応する所定情報が、ユーザにより入力されたメモ情報であるので、ユーザは自分の経験に基づく情報を所定のタイミングで得ることができ、過去の経験を活かすことができる。
【０１０８】
また、メモ情報が、ユーザにより音声入力されたものであるので、ユーザは自分の経験に基づく詳細な情報を容易に入力することができる。
【０１０９】
また、メモ情報を入力するためのインターフェースをユーザに提供する操作入力部１０２又は表示部１０４を備えるので、ユーザは容易にメモ情報を入力することができる。
【０１１０】
また、ＣＰＵ１０１が、アイコンに対応する所定情報がユーザに報知された後に、指定地点を示す地図情報を表示させるので、ユーザは、所定情報が報知されたときにすぐに地図情報を確認することができる。
【０１１１】
また、ＣＰＵ１０１が、指定地点に付加されたアイコンを、地図情報上の指定地点に重畳させて表示させるので、ユーザは、所定情報が報知されたときにすぐに当該アイコンが付加された指定地点を地図情報上で確認することができる。
【０１１２】
また、ＣＰＵ１０１が、アイコンに対応する所定情報がユーザに報知された後に、現在位置情報及び地図情報に基づき、指定地点までのナビゲーションを行うので、ユーザは、当該アイコンが付加された指定地点に容易に辿り着くことができる。
【０１１３】
また、ＣＰＵ１０１が、指定地点に付加されたアイコンを、指定地点に付加された時刻に基づく時系列に沿って一覧表示するので、ユーザは、過去に地図情報上に付加したアイコンを見直すことができ、地図情報上に付加した情報を有効に活用することができる。
【０１１４】
また、ＣＰＵ１０１が、互いに異なる複数のアイコンのうち特定のアイコンに対応する所定情報のみを報知するので、ユーザに頻繁に情報が報知されることを抑制し、利便性を向上させることができる。
【０１１５】
また、ＣＰＵ１０１が、互いに異なる複数のアイコンのうちいずれか一つ以上のアイコンを提示し、提示されたアイコンのうちユーザにより選択されたアイコンを指定地点に付加するので、ユーザは、指定地点に付加しようとするアイコンをより容易に選択することができる。
【０１１６】
また、ＣＰＵ１０１が、現在位置情報に基づき、互いに異なる複数のアイコンのうちいずれか一つ以上のアイコンを抽出し、抽出されたアイコンを提示するので、ユーザは、その状況に適したアイコンを容易に選択することができる。
【０１１７】
また、ＣＰＵ１０１が、互いに異なる複数のアイコンのうちいずれか二つ以上のアイコンを一覧表示し、それらのうちユーザが直前に選択したアイコンを始端に配置するので、ユーザは、使用頻度の高いアイコンを容易に選択することができる。
【０１１８】
また、ＣＰＵ１０１が、現在位置情報が示す現在位置を指定地点としてアイコンを付加するので、ユーザは、より簡易な操作で地図情報上にアイコンを付加することができる。
【０１１９】
また、ＣＰＵ１０１が、地図情報のうちユーザにより選択された位置を指定地点としてアイコンを付加する場合には、ユーザは、地図情報上の所望の地点にアイコンを付加することができる。
【０１２０】
また、ＣＰＵ１０１が、ユーザの感情を示す感情情報を取得し、取得された感情情報に基づいて、アイコン又はアイコンに対応する所定情報を制御するので、ユーザの感情に関する情報を活用することができる。
【０１２１】
また、ＣＰＵ１０１が、取得された感情情報に基づいて、その表示態様を変化させた上で、選択されたアイコンを付加するので、地図情報上にユーザの感情に関する情報をも付加することができる。これにより、ユーザは、表示部１０４に表示されたアイコンを確認することで、そのアイコンを付加した際の自分の感情を認識することができる。
【０１２２】
また、ＣＰＵ１０１が、アイコンに対応する所定情報としてユーザにより入力された音声に基づく文字列を、当該音声から取得された感情情報に基づいて、その表示態様を変化させた上で表示するので、ユーザは、表示部１０４に表示された文字列を確認することで、その文字列を入力した際の自分の感情を認識することができる。
【０１２３】
また、ＣＰＵ１０１が、取得された感情情報に基づいて、アイコンに関する所定条件を変更するので、そのアイコンを付加した際のユーザの感情に応じて報知を行うタイミングや頻度を変更することができる。
【０１２４】
《変形例１》
上記した実施形態の地図情報表示システム１００の変形例１について説明する。以下に説明する以外の点は、上記実施形態の地図情報表示システム１００と同様に構成されているものとする。
【０１２５】
変形例１に係る地図情報表示システムは、上記実施形態の地図情報表示システム１００と次の点で異なる。すなわち、変形例１に係る地図情報表示システムは、スマートフォン２を備えておらず、スマートウォッチ１のみで構成されている。したがって、変形例１に係る地図情報表示システムは、スマートウォッチ１単独で、上記実施形態の地図情報表示システム１００が行う各種処理を行う。このため、ユーザはスマートウォッチ１のみを所持していれば足り、当該スマートウォッチ１がスマートフォン２とデータ通信可能な状態になくても良い。
【０１２６】
例えば、変形例１に係る地図情報表示システム、すなわちスマートウォッチ１は、以下のようにして地図情報表示処理及び報知処理を行う。なお、変形例１に係るアイコン付加処理は、上記実施形態の地図情報表示システム１００により行われるアイコン付加処理と同様である。
【０１２７】
（地図情報表示処理）
まず、変形例１に係る地図情報表示システム、すなわち、スマートウォッチ１により行われる地図情報表示処理について、図１９を参照して説明する。図１９は、変形例１に係る地図情報表示処理の一例を示すフローチャートである。
【０１２８】
地図情報表示処理は、ユーザが地図情報を確認しようとする任意のタイミングで、スマートウォッチ１の操作入力部１０２により所定の操作がなされたときに行われる。
【０１２９】
まず、スマートウォッチ１のＣＰＵ１０１は、衛星電波受信モジュール１０８によりユーザの現在位置を示す現在位置情報を取得する（ステップＳ４０１）。次に、ＣＰＵ１０１は、あらかじめ記憶部１０５に記憶された地図情報を取得する（ステップＳ４０２）。ここで取得する地図情報としては、ステップＳ４０１で取得した現在位置情報が示す現在位置を中心とした所定距離範囲内の地図情報である。
【０１３０】
次に、ＣＰＵ１０１は、地図情報及び現在位置情報を表示部１０４に表示させる（ステップＳ４０３）。
【０１３１】
次に、ＣＰＵ１０１は、ユーザによりアイコン付加操作がなされたか否かを判定する（ステップＳ４０４）。
【０１３２】
アイコン付加操作がなされたと判定されると（ステップＳ４０４；ＹＥＳ）、ＣＰＵ１０１は、表示された地図情報上にユーザの所望のアイコンを付加する、上記実施形態と同様のアイコン付加処理を行う（ステップＳ４０５）。アイコン付加操作がなされないと判定されると（ステップＳ４０４；ＮＯ）、ＣＰＵ１０１は、ステップＳ４０５のアイコン付加処理を省略し、ステップＳ４０６の処理を行う。
【０１３３】
次に、ＣＰＵ１０１は、ユーザの操作に基づき地図情報の表示を終了するか否かを判定する（ステップＳ４０６）。
【０１３４】
地図情報の表示を終了しないと判定されると（ステップＳ４０６；ＮＯ）、ＣＰＵ１０１は、再びステップＳ４０１の処理を行う。地図情報の表示を終了すると判定されると（ステップＳ４０６；ＹＥＳ）、ＣＰＵ１０１は、地図情報表示処理を終了する。
【０１３５】
（報知処理）
続いて、変形例１に係る地図情報表示システム、すなわち、スマートウォッチ１により行われる報知処理について、図２０を参照して説明する。図２０は、変形例１に係る報知処理の一例を示すフローチャートである。
【０１３６】
報知処理は、スマートウォッチ１の衛星電波受信モジュール１０８の電源供給がオンになっている限り継続して行われる。また、報知処理は、アイコン付加処理にて特定のアイコンＡ１が地図情報上に付加されている場合にのみ行われ、特定のアイコンＡ１が地図情報上に付加されていない場合には行われない。地図情報上に特定のアイコンＡ１が複数付加された場合には、それぞれについて行われる。
【０１３７】
まず、スマートウォッチ１のＣＰＵ１０１は、特定のアイコンＡ１が付加された時の時刻から所定時間が経過しているか否かを判定する（ステップＳ５０１）。具体的には、ＣＰＵ１０１は、記憶部１０５にアイコンとともに記憶された時刻情報に基づき、当該時刻情報が示す時刻から、例えば１日以上経過しているか否かを判定する。
【０１３８】
所定時間が経過していないと判定されると（ステップＳ５０１；ＮＯ）、ＣＰＵ１０１は、再びステップＳ５０１の処理を行う。
【０１３９】
所定時間が経過したと判定されると（ステップＳ５０１；ＹＥＳ）、ＣＰＵ１０１は、衛星電波受信モジュール１０８によりユーザの現在位置を示す現在位置情報を取得する（ステップＳ５０２）。
【０１４０】
次に、ＣＰＵ１０１は、ステップＳ５０２の処理にて取得した現在位置情報が示す現在位置が、特定のアイコンＡ１が付加された指定地点から所定距離範囲内、例えば半径５ｋｍ圏内に存在するか否かを判定する（ステップＳ５０３）。また、特定のアイコンＡ１に対応する感情情報が記憶部１０５に記憶されている場合には、ＣＰＵ１０１は、当該感情情報に基づき、判定する距離の範囲を変更する。
【０１４１】
指定地点から所定距離範囲内でないと判定されると（ステップＳ５０３；ＮＯ）、ＣＰＵ１０１は、再びステップＳ５０２の処理を行う。
【０１４２】
指定地点から所定距離範囲内であると判定されると（ステップＳ５０３；ＹＥＳ）、ＣＰＵ１０１は、当該指定地点に付加された特定のアイコンＡ１に対応するメモ情報の有無を判定する（ステップＳ５０４）。
【０１４３】
メモ情報があると判定されると（ステップＳ５０４；ＹＥＳ）、ＣＰＵ１０１は、記憶部１０５から当該メモ情報、及び対応する感情情報を取得する（ステップＳ５０５）。一方、メモ情報がないと判定されると（ステップＳ５０４；ＮＯ）、ＣＰＵ１０１は、ステップＳ５０５の処理を省略する。
【０１４４】
次に、ＣＰＵ１０１は、アイコンに対応する所定情報をユーザに報知する（ステップＳ５０６）。
【０１４５】
次に、ＣＰＵ１０１は、ナビゲーションを実行するか否かを判定する（ステップＳ５０７）。ナビゲーションを実行すると判定されると（ステップＳ５０７；ＹＥＳ）、ＣＰＵ１０１は、ナビゲーションを実行する（ステップＳ５０８）。ナビゲーション実行後、ＣＰＵ１０１は、再びステップＳ５０１の処理を行う。
【０１４６】
一方、ナビゲーションを実行しないと判定されると（ステップＳ５０７；ＮＯ）、ＣＰＵ１０１は、地図情報を表示するか否かを判定する（ステップＳ５０９）。
【０１４７】
地図情報を表示すると判定されると（ステップＳ５０９；ＹＥＳ）、ＣＰＵ１０１は、地図情報を表示部１０４に表示させる（ステップＳ５１０）。地図情報を表示させた後、ＣＰＵ１０１は、再びステップＳ５０１の処理を行う。
【０１４８】
地図情報を表示しないと判定されると（ステップＳ５０９；ＮＯ）、ＣＰＵ１０１は、ステップＳ５１０の処理を省略し、再びステップＳ５０１の処理を行う。
【０１４９】
以上のようにして報知処理を行い、所定条件を満たす度にＣＰＵ１０１は繰り返しユーザに所定情報を報知する。
【０１５０】
（変形例１の技術的効果）
以上、変形例１によれば、地図情報表示システムがスマートウォッチ１のみからなるので、上記実施形態において得られる技術的効果のみならず、ユーザがスマートフォンを所持する必要がないため、利便性を著しく向上させることができる。
【０１５１】
《変形例２》
上記した実施形態の地図情報表示システム１００の変形例２について説明する。以下に説明する以外の点は、上記実施形態の地図情報表示システム１００と同様に構成されているものとする。
【０１５２】
変形例２に係る地図情報表示システムは、上記実施形態の地図情報表示システム１００と次の点で異なる。すなわち、変形例２に係る地図情報表示システムは、以下のようにしてアイコン付加処理を行い、入力される音声に基づいてアイコンが選択される。したがって、変形例２においては特定のアイコンＡ１のみならず、いずれのアイコンについても対応するコメント情報が記憶される。このため、地図情報上に付加されたアイコンが特定のアイコンＡ１でない場合であっても、上記報知処理が実行される。なお、変形例２に係る地図情報表示処理は、上記実施形態に係る地図情報表示処理と同様であり、変形例２に係る報知処理は、特定のアイコンＡ１以外のアイコンについても報知が実行される以外は上記実施形態に係る報知処理と同様である。
【０１５３】
（アイコン付加処理）
変形例２に係るアイコン付加処理について、図２１を参照して説明する。図２１は、変形例２に係るアイコン付加処理の一例を示すフローチャートである。以下に説明する以外の点は、上記実施形態に係るアイコン付加処理と同様に行われるものとする。
【０１５４】
図２１に示すように、まず、スマートウォッチ１のＣＰＵ１０１は、アイコンに対応する情報として、メモ情報が入力されたか否かを判定する（ステップＳ６０１）。
【０１５５】
具体的には、ＣＰＵ１０１は、図７（ｃ）に示す音声待受画面Ｇ７ｃを表示部１０４に表示させ、更にユーザにより音声が入力された場合に、メモ情報が入力されたと判定する。ユーザがスマートウォッチ１に向けて声を発すると、操作入力部１０２のマイクを介してその音声が入力される。また、例えば、音声待受画面Ｇ７ｃが表示された状態で、所定時間音声が入力されない場合に、ＣＰＵ１０１は、メモ情報が入力されないと判定する。
【０１５６】
メモ情報が入力されたと判定されると（ステップＳ６０１；ＹＥＳ）、ＣＰＵ１０１は、入力された音声を文字列に変換し、その文字列をメモ情報として記憶部１０５に記憶させるとともに、入力された音声から感情情報を取得して記憶部１０５に記憶させる（ステップＳ６０２）。
メモ情報が入力されないと判定されると（ステップＳ６０１；ＮＯ）、ＣＰＵ１０１は、アイコン付加処理を終了する。
【０１５７】
次に、ＣＰＵ１０１は、取得された感情情報に基づいて、互いに異なる複数のアイコンのうちいずれか一つ以上のアイコンを抽出する（ステップＳ６０３）。具体的には、ＣＰＵ１０１は、感情情報が示すユーザの感情に適した複数のアイコンを抽出する。例えば、感情情報が「苦しみ・怒り」を示す場合にはアイコンＡ４やＡ６（図１０参照）等を抽出し、「不安」を示す場合にはアイコンＡ３やＡ６（図１０参照）等を抽出し、「安定」を示す場合にはアイコンＡ５（図１０参照）等を抽出し、「喜び」を示す場合にはアイコンＡ２やＡ５（図１０参照）等を抽出する。
【０１５８】
次に、図２１に示すように、ＣＰＵ１０１は、ステップＳ６０３の処理にて抽出された複数のアイコンを表示部１０４に一覧表示させる（ステップＳ６０４）。例えば、ＣＰＵ１０１は、抽出された複数のアイコンを図７（ｂ）に示すように表示部１０４に表示させる。
【０１５９】
次に、図２１に示すように、ＣＰＵ１０１は、ユーザによりアイコンが選択されたか否かを判定する（ステップＳ６０５）。具体的には、抽出された複数のアイコンが図７（ｂ）に示すように表示部１０４に表示された状態で、ユーザによりアイコン確定ボタンＰ７３がタップ（又は押しボタンスイッチ１０２ａが押下）された場合に、ＣＰＵ１０１は、アイコンが選択されたと判定する。また、抽出された複数のアイコンが表示された状態で、ユーザによる操作が所定時間入力されない場合や、押しボタンスイッチ１０２ｂが押下された場合に、ＣＰＵ１０１は、アイコンが選択されないと判定する。
【０１６０】
アイコンが選択されないと判定されると（ステップＳ６０５；ＮＯ）、ＣＰＵ１０１は、アイコン付加処理を終了する。
【０１６１】
アイコンが選択されたと判定されると（ステップＳ６０５；ＹＥＳ）、ＣＰＵ１０１は、ユーザにより選択されたアイコンを、現在位置を指定地点として当該指定地点を示す指定地点情報と対応付けて記憶部１０５に記憶させる（ステップＳ６０６）。このときＣＰＵ１０１は、計時部１０７により現在の時刻を計時して時刻情報を取得し、選択されたアイコンとともに当該時刻情報を記憶部１０５に記憶させる。
【０１６２】
次に、ＣＰＵ１０１は、上記した各種情報を記憶部１０５に記憶させた後、地図情報上の現在位置（指定地点）に、選択されたアイコンが付加された画面を表示部１０４に表示させる（ステップＳ６０７）。ここで、ＣＰＵ１０１は、記憶部１０５に記憶される感情情報に基づいて、選択されたアイコンの色調を変化させた上で表示部１０４に表示させる。より具体的には、ＣＰＵ１０１は、特定のアイコンＡ１の色調を、感情情報が「苦しみ・怒り」を示す場合には赤色、「不安」を示す場合には青色、「安定」を示す場合には緑色、「喜び」を示す場合には「黄色」に変化させる。
【０１６３】
また、選択されたアイコンが付加された画面が表示された状態で、ユーザにより当該アイコンがタップされた場合には、ＣＰＵ１０１は、メモ情報としての文字列を表示部１０４に表示させる。この場合、ＣＰＵ１０１は、メモ情報とともに記憶された感情情報に基づいて、当該文字列の表示態様を変化させた上で表示部１０４に表示させるものとしても良い。
【０１６４】
以上のようにしてアイコン付加処理を行う。
【０１６５】
なお、上記ステップＳ６０３の処理では、複数のアイコンを抽出するものとしたが、これに限られるものではなく、一つのみであっても良い。抽出されるアイコンの数が一つのみである場合には、ＣＰＵ１０１は、ステップＳ６０４、Ｓ６０５の処理を省略し、抽出されたアイコンを選択するものとする。
【０１６６】
（変形例２の技術的効果）
以上、変形例２によれば、ＣＰＵ１０１が、取得された感情情報に基づいて、いずれかのアイコンを選択するので、上記実施形態において得られる技術的効果のみならず、ユーザは音声入力のみによってそのときの自分の感情に合致したアイコンを地図情報上に付加することができる。
【０１６７】
また、ＣＰＵ１０１が、取得された感情情報に基づいて互いに異なる複数のアイコンのうちいずれか一つ以上のアイコンを抽出し、抽出されたアイコンのうちユーザにより選択されたアイコンを選択するので、よりユーザの感情や状況等に合致したアイコンを地図情報上に付加することができる。
【０１６８】
《その他》
なお、上記実施形態、変形例１及び２における記述は、本発明に係る好適な地図情報表示システムの一例であり、これに限定されるものではない。特に、スマートウォッチ１の表示部１０４に表示される各種画像は一例であって、これらに限定されるものではない。
【０１６９】
例えば、上記した変形例１では、地図情報表示システムがスマートウォッチ１のみからなるものとしたが、これに限られるものではない。すなわち、地図情報表示システムが、スマートウォッチ１を備えておらず、スマートフォン２のみからなるものとしても良い。この場合には、上記した地図情報表示処理、アイコン付加処理、報知処理等の各種処理をスマートフォン２が単独で行う。
【０１７０】
また、上記した実施形態、変形例１及び２では、ユーザにより付加されたアイコン、当該アイコンが付加された指定地点を示す指定地点情報、当該アイコンが付加された時刻を示す時刻情報、ユーザにより入力されたメモ情報等をスマートウォッチ１の記憶部１０５に記憶させるものとしたが、これに限られるものではない。例えば、それらの情報を、スマートフォン２の記憶部２０５に記憶させるものとしても良いし、スマートウォッチ１やスマートフォン２とデータ送受信可能な外部機器に記憶させるものとしても良い。スマートフォン２の記憶部２０５に記憶させる場合には、各種画面表示や操作入力等のみをスマートウォッチ１側で行い、上記した地図情報表示処理、アイコン付加処理及び報知処理の各種処理をスマートフォン２側で行うものとしても良い。
さらには、上記各種情報が記憶部１０５に記憶された後に、ユーザの操作に基づきスマートウォッチ１のＣＰＵ１０１が、通信部１０６により上記各種情報を含むデータファイルを外部端末（例えばスマートフォン２等）に送信するものとしても良い。これにより、ユーザは、外部端末を用いて過去に付与したアイコン等を閲覧することができ、利便性を向上させることができる。また、当該データファイルとしては、外部端末が読み込み可能であればいずれの形式であっても良く、例えばｋｍｌ（Keyhole Markup Language）形式等の地図サービス上に配置可能な形式で構成されている。ここで、データファイルにスマートウォッチ１独自の情報（例えばアイコンのデザイン等）が含まれると、送信先の外部端末がこれを読み込んで地図サービス上に再現するには、当該外部端末が専用のアプリケーションを有している必要があり、完全再現できない場合がある。そのため、上記データファイルには、そのような独自の情報そのものは含まれず、当該情報が記憶された所定のサーバ（図示略）にアクセスするためのＵＲＬが含まれることが好ましい。これにより、外部端末が専用のアプリケーションを有していない場合であっても、取得されたＵＲＬに基づいて、通信ネットワーク上の所定のサーバにアクセスして、当該所定のサーバにあらかじめ記憶されている情報を取得して地図サービス上に再現することができる。また、当該データファイルには、例えば、ユーザの現在位置情報の履歴や、ユーザの移動速度、ユーザが行ったアクティビティの結果（例えば、合計時間、距離、速度、釣果等）等が更に含まれていても良い。また、当該データファイルは、日付単位で構成されていても良いし、ユーザが行ったアクティビティ単位で構成されていても良い。
【０１７１】
また、上記した実施形態及び変形例１では、ＣＰＵ１０１が、入力された音声を解析してユーザの感情を示す感情情報を取得するものとしたが、これに限られるものではなく、入力された音声から感情情報を取得しないものとしても良い。この場合には、アイコン付加処理にて付加されるアイコンの表示態様を感情情報に基づいて変化させないものとしても良いし、報知処理におけるアイコンに関する所定条件（アイコンが指定地点に付加された時刻からの経過時間、指定地点からの距離範囲等）を感情情報に基づいて変化させないものとしても良いし、報知処理におけるアイコンに対応する所定情報（報知されるアイコン及びメモ情報等）の表示態様を感情情報に基づいて変化させないものとしても良い。また、ＣＰＵ１０１は、入力された音声からの感情情報の取得を実行するか否かを、ユーザによる操作に基づいて切り替えられるものとしても良い。
【０１７２】
また、上記した実施形態、変形例１及び２では、ＣＰＵ１０１が、ユーザにより入力された音声から感情情報を取得するものとしたが、これに限られるものではない。例えば、ＣＰＵ１０１は、ユーザの心拍数や行動履歴等の音声以外のユーザに関する情報を取得し、それらに基づいて感情情報を取得するものとしても良い。
【０１７３】
また、上記した実施形態、変形例１及び２では、取得された感情情報に基づいて、アイコンや文字列の表示態様を変化させ、報知処理においてアイコンに関する所定条件を変化させるものとしたが、これに限られるものではない。すなわち、アイコンの表示態様を変化させないものとしても良いし、文字列の表示態様を変化させないものとしても良いし、報知処理においてアイコンに関する所定条件を変化させないものとしても良い。また、ＣＰＵ１０１は、これらを実行するか否かを、ユーザによる操作に基づいて切り替えられるものとしても良い。
【０１７４】
また、上記した実施形態、変形例１及び２では、感情情報が「苦しみ・怒り」、「不安」、「安定」及び「喜び」の４分類でユーザの感情を示すものとしたが、これに限られるものではない。例えば、感情情報は、これらのうちいずれか２つ又は３つの分類でユーザの感情を示すものとしても良いし、これら以外の感情を含めた５以上の分類でユーザの感情を示すものとしても良い。
【０１７５】
また、上記した実施形態、変形例１及び２では、ＣＰＵ１０１が、感情情報に基づいてアイコンの色調を変化させた上で表示部１０４に表示させるものとしたが、感情情報に基づきアイコンの表示態様を変化させればこれに限られるものではない。例えば、ＣＰＵ１０１は、感情情報に基づいてアイコンの種類や大きさを変化させた上で表示部１０４に表示させても良い。この場合、感情情報が「苦しみ・怒り」をや「不安」を示す場合には、それらを連想させる態様にアイコンの種類を変化させたり、アイコンの大きさを相対的に小さく変化させたりするものとしても良い。また、感情情報が「安定」や「喜び」を示す場合には、それらを連想させる態様にアイコンの種類を変化させたり、アイコンの大きさを相対的に大きく変化させたりするものとしても良い。
【０１７６】
また、上記した実施形態、変形例１及び２では、所定情報をユーザに報知するための所定条件が、指定地点から現在位置までの距離が所定距離範囲内、かつ指定地点にアイコンが付加された時からの経過時間が所定時間以上である、という条件であるものとしたが、これに限られるものではない。すなわち、所定情報をユーザに報知するための所定条件としては、現在位置に応じて表示部１０４に表示可能な範囲内に指定地点が存在している、という条件のみによって構成されるものでなければ、いずれであっても良い。例えば、指定地点にアイコンが付加された時刻に基づき、所定情報をユーザに報知するものとしても良い。この場合には、ＣＰＵ１０１は、所定のタイミングで計時部１０７により現在の時刻を計時して時刻情報を取得し、その現在時刻が、指定地点にアイコンが付加された時刻の前後一定時間内である、という条件を満たしたときに、所定情報をユーザに報知するものとしても良い。これにより、アイコンに対応する所定情報が特定の時間帯においてのみ有効である場合に、現在時刻が当該特定の時間帯である場合にのみ、それをユーザに報知させることができる。したがって、ユーザに頻繁に情報が報知されることを抑制し、利便性を向上させることができる。
また、指定地点から現在位置までの距離と、指定地点にアイコンが付加された時からの経過時間と、指定地点にアイコンが付加された時刻とのうち一つ又は二つ以上の組み合わせに基づき、所定情報をユーザに報知するものとしても良い。
また、これらの条件は、ユーザにより選択されるアイコンにあらかじめ対応付けて設定されているものとしても良い。
さらに、ＣＰＵ１０１は、これらの条件を、入力された音声から取得された感情情報に基づいて変更させるものとしても良い。
【０１７７】
また、上記した実施形態、変形例１及び２では、アイコンに対応する文字列の表示態様を感情情報に基づいて変化させるものとしたが、これに限られるものではない。例えば、ユーザが、音声入力により他の端末に対して文字列からなるメッセージ等を送信する場合において、ＣＰＵ１０１は、当該音声から感情情報を取得し、取得された感情情報に基づいて当該メッセージ等の表示態様を変化させた上で表示部１０４に表示させるものとしても良い。また、当該メッセージ等の送信先である他の端末が、上記スマートウォッチ１と同様に構成されている場合には、ＣＰＵ１０１は、受信したメッセージ等をその感情情報に基づく表示態様に変化させた上で表示部１０４表示させるものとしても良い。
【０１７８】
また、上記した実施形態、変形例１及び２では、アイコンに対応する情報が、ユーザにより入力されたメモ情報であるものとしたが、これに限られるものではない。例えば、ユーザにより選択されるアイコンにあらかじめ所定情報が対応付けられており、ユーザがメモ情報を入力することなく、所定条件を満たしたときに、当該所定情報が報知されるものとしても良い。
【０１７９】
また、上記した実施形態、変形例１及び２では、メモ情報がユーザにより音声入力されるものとしたが、これに限られるものではなく、手動操作により入力されるものとしても良い。例えば、ユーザにより撮影された写真、ユーザにより描画された画像、ユーザにより選択された定型文等がメモ情報として手動操作により入力されるものとしても良い。
【０１８０】
また、上記した実施形態、変形例１及び２では、ＣＰＵ１０１が、メモ情報とともに、指定地点を示す地図情報を併せて報知するものとしたが、これに限られるものではなく、メモ情報のみを報知するものとしても良い。
【０１８１】
また、上記した実施形態、変形例１及び２では、ＣＰＵ１０１が、メモ情報をユーザに報知した後、現在位置情報及び地図情報に基づき、指定地点までのナビゲーションを行うものとしたが、これに限られるものではなく、ナビゲーションを行わなくても良い。
【０１８２】
また、上記した実施形態及び変形例１では、ＣＰＵ１０１は、互いに異なる複数のアイコンのうち特定のアイコンＡ１に対応する所定情報のみを報知するものとしたが、これに限られるものではなく、他のアイコンＡ２〜Ａ１０に対応する所定情報を報知するものとしても良い。この場合には、他のアイコンＡ２〜Ａ１０に対応してメモ情報が入力可能であっても良い。
【０１８３】
また、上記した実施形態、変形例１及び２では、所定条件を満たしたときに、画面Ｇ１４ａを表示部１０４に表示させることで、所定情報をユーザに報知するものとしたが、これに限られるものではない。例えば、ＣＰＵ１０１は、画面Ｇ１４ａの表示とともに、出力部１０９により音声や振動等の出力を行うものとしても良い。また、入力された音声を文字列に変換せずにそのままメモ情報として記憶部１０５に記憶した場合には、ＣＰＵ１０１は、画面Ｇ１４ａにメモ情報表示領域Ｐ１４１を表示させないものとしても良く、メモ情報として記憶された音声の再生をユーザに選択させるボタン等を画面Ｇ１４ａに表示させるものとしても良い。また、所定情報を音声、映像、紙媒体等として、地図情報表示システム１００以外の外部機器、例えば、音楽再生プレイヤー、ヘッドマウントディスプレイ、プリンタ等に出力させることでユーザに報知するものとしても良い。
【０１８４】
また、上記した実施形態、変形例１及び２では、特定のアイコンＡ１に対応する所定情報をユーザに報知したときに、ユーザの操作に基づき、現在位置から指定地点までのナビゲーションを行うものとしたが、これに限られるものではない。すなわち、例えば、地図情報表示処理において、地図情報上に表示された、過去にユーザにより付加されたアイコンや、音声を入力したことを示すアイコンがユーザによりタップされたときに、現在位置から当該アイコンが付加された地点までのナビゲーションを行うか否かをユーザに選択させる選択画面を表示部１０４に表示させるものとしても良い。
【０１８５】
また、上記した実施形態、変形例１及び２では、スマートウォッチ１は、過去にユーザがアイコンを付加した日付を一覧表示させる機能を有するものとしたが、これに限られるものではない。例えば、スマートウォッチ１は、過去にユーザが付加したアイコンやメモ情報を検索する機能を有していても良い。
【０１８６】
また、上記した実施形態、変形例１及び２では、スマートフォン２のＣＰＵ２０１が衛星電波受信モジュール２０８によりユーザの現在位置を示す現在位置情報を取得する、又はスマートウォッチ１のＣＰＵ１０１が衛星電波受信モジュール１０８によりユーザの現在位置を示す現在位置情報を取得するものとしたが、これに限られず、例えば、インドアロケーション技術など、ネットワーク位置情報を利用することで現在位置情報を取得するものとしても良いことは勿論である。
【０１８７】
また、上記した実施形態では、本発明に係るプログラムのコンピュータ読み取り可能な媒体としてハードディスクや半導体の不揮発性メモリー等を使用した例を開示したが、この例に限定されない。その他のコンピュータ読み取り可能な媒体として、ＣＤ−ＲＯＭ等の可搬型記録媒体を適用することが可能である。また、本発明に係るプログラムのデータを通信回線を介して提供する媒体として、キャリアウェーブ（搬送波）も適用される。
【０１８８】
本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
〔付記〕
＜請求項１＞
現在位置情報を取得する位置情報取得手段と、
前記現在位置情報に基づく地図情報を取得する地図情報取得手段と、
所定の情報を連想させる互いに異なる複数の付加情報からいずれかの付加情報を選択する選択手段と、
ユーザの操作に基づき、前記地図情報において指定された指定地点に前記選択手段により選択された付加情報を付加する情報付加手段と、
前記地図情報とともに、前記情報付加手段により付加された付加情報及び対応する前記指定地点を表示する表示手段と、
前記選択手段により選択された付加情報に関する所定条件を満たしたときに、前記指定地点に付加された付加情報に対応する所定情報をユーザに報知する報知手段と、
を備えることを特徴とする電子機器。
＜請求項２＞
前記報知手段は、前記付加情報に対応する所定情報を、前記表示手段による表示とは異なる態様で、かつ前記表示手段による表示よりも報知効果が高い態様でユーザに報知することを特徴とする請求項１に記載の電子機器。
＜請求項３＞
前記報知手段は、前記指定地点に付加された付加情報に対応する所定情報をユーザに報知した後に、再度、前記所定条件を満たしたときには前記指定地点に付加された付加情報に対応する所定情報をユーザに報知することを特徴とする請求項１又は２に記載の電子機器。
＜請求項４＞
前記報知手段は、ユーザが移動して前記指定地点に接近した結果、前記地図情報上に付加された付加情報そのものが前記表示手段に表示される態様とは異なる態様で、前記付加情報に対応する所定情報を報知することを特徴とする請求項１から３のいずれか一項に記載の電子機器。
＜請求項５＞
前記報知手段は、前記現在位置情報が示す現在位置が、前記指定地点から前記所定距離範囲内に存在するときに、前記付加情報に対応する所定情報をユーザに報知することを特徴とする請求項１から４のいずれか一項に記載の電子機器。
＜請求項６＞
前記報知手段は、前記指定地点に付加情報が付加された時からの経過時間に基づき、前記付加情報に対応する所定情報をユーザに報知することを特徴とする請求項１から５のいずれか一項に記載の電子機器。
＜請求項７＞
前記報知手段は、前記指定地点に付加情報が付加された時刻に基づき、前記付加情報に対応する所定情報をユーザに報知することを特徴とする請求項１から６のいずれか一項に記載の電子機器。
＜請求項８＞
前記付加情報に対応する所定情報は、ユーザにより入力されたメモ情報であることを特徴とする請求項１から７のいずれか一項に記載の電子機器。
＜請求項９＞
前記メモ情報は、ユーザにより音声入力又は手動操作により入力されたものであることを特徴とする請求項８に記載の電子機器。
＜請求項１０＞
前記メモ情報を入力するためのインターフェースをユーザに提供するインターフェース提供手段を備えることを特徴とする請求項８又は９に記載の電子機器。
＜請求項１１＞
前記指定地点を示す前記地図情報を表示する地図情報表示制御手段を備えることを特徴とする請求項１から１０のいずれか一項に記載の電子機器。
＜請求項１２＞
前記地図情報表示制御手段は、前記指定地点に付加された付加情報を、前記地図情報上の前記指定地点に重畳させて表示することを特徴とする請求項１１に記載の電子機器。
＜請求項１３＞
前記現在位置情報及び前記地図情報に基づき、前記指定地点までのナビゲーションを行うナビゲーション手段を備えることを特徴とする請求項１から１２のいずれか一項に記載の電子機器。
＜請求項１４＞
前記指定地点に付加された付加情報を、前記指定地点に付加された時刻に基づく時系列に沿って一覧表示する付加情報表示制御手段を備えることを特徴とする請求項１から１３のいずれか一項に記載の電子機器。
＜請求項１５＞
前記報知手段は、互いに異なる複数の付加情報のうち特定の付加情報に対応する所定情報のみを報知することを特徴とする請求項１から１４のいずれか一項に記載の電子機器。
＜請求項１６＞
互いに異なる複数の付加情報のうちいずれか一つ以上の付加情報を提示する提示手段を備え、
前記選択手段は、前記提示手段により提示された付加情報のうちユーザにより選択された付加情報を選択することを特徴とする請求項１から１５のいずれか一項に記載の電子機器。
＜請求項１７＞
前記提示手段は、前記現在位置情報に基づき、互いに異なる複数の付加情報のうちいずれか一つ以上の付加情報を抽出し、抽出された付加情報を提示することを特徴とする請求項１６に記載の電子機器。
＜請求項１８＞
前記提示手段は、互いに異なる複数の付加情報のうちいずれか二つ以上の付加情報を一覧表示し、それらのうちユーザが直前に選択した付加情報を始端に配置することを特徴とする請求項１６又は１７に記載の電子機器。
＜請求項１９＞
前記情報付加手段は、前記現在位置情報が示す現在位置を前記指定地点として付加情報を付加することを特徴とする請求項１から１８のいずれか一項に記載の電子機器。
＜請求項２０＞
前記情報付加手段は、前記地図情報のうちユーザにより選択された位置を前記指定地点として付加情報を付加することを特徴とする請求項１から１８のいずれか一項に記載の電子機器。
＜請求項２１＞
前記付加情報は、アイコンであることを特徴とする請求項１から２０のいずれか一項に記載の電子機器。
＜請求項２２＞
ユーザの感情を示す感情情報を取得する感情情報取得手段と、
前記感情情報取得手段により取得された感情情報に基づいて、前記付加情報又は前記付加情報に対応する所定情報を制御する制御手段と、
を備えることを特徴とする請求項１から２１のいずれか一項に記載の電子機器。
＜請求項２３＞
前記制御手段は、前記選択手段を含み、
前記選択手段は、前記感情情報取得手段により取得された感情情報に基づいて、いずれかの付加情報を選択することを特徴とする請求項２２に記載の電子機器。
＜請求項２４＞
前記制御手段は、前記選択手段を含み、
前記選択手段は、前記感情情報取得手段により取得された感情情報に基づいて互いに異なる複数の付加情報のうちいずれか一つ以上の付加情報を抽出し、抽出された付加情報のうちユーザにより選択された付加情報を選択することを特徴とする請求項２３に記載の電子機器。
＜請求項２５＞
前記制御手段は、前記情報付加手段を含み、
前記情報付加手段は、前記感情情報取得手段により取得された感情情報に基づいて、その表示態様を変化させた上で、前記選択手段により選択された付加情報を付加することを特徴とする請求項２２から２４のいずれか一項に記載の電子機器。
＜請求項２６＞
前記制御手段は、前記付加情報に対応する所定情報としてユーザにより入力された音声に基づく文字列を、前記感情情報取得手段により当該音声から取得された感情情報に基づいて、その表示態様を変化させた上で表示する文字列表示制御手段を更に有することを特徴とする請求項２２から２５のいずれか一項に記載の電子機器。
＜請求項２７＞
前記制御手段は、前記報知手段を含み、
前記報知手段は、前記感情情報取得手段により取得された感情情報に基づいて、前記付加情報に関する所定条件を変更することを特徴とする請求項２２から２６のいずれか一項に記載の電子機器。
＜請求項２８＞
前記感情情報取得手段は、ユーザにより入力された音声から当該ユーザの感情を示す感情情報を取得することを特徴とする請求項２２から２７のいずれか一項に記載の電子機器。
＜請求項２９＞
前記指定地点に付加された付加情報を含むデータファイルを、前記電子機器とは異なる外部機器が読み込み可能な形式で当該外部機器に送信する通信制御手段を更に備えることを特徴とする請求項１から２８のいずれか一項に記載の電子機器。
＜請求項３０＞
コンピュータを、
現在位置情報を取得する位置情報取得手段、
前記現在位置情報に基づく地図情報を取得する地図情報取得手段、
所定の情報を連想させる互いに異なる複数の付加情報からいずれかの付加情報を選択する選択手段、
ユーザの操作に基づき、前記地図情報において指定された指定地点に前記選択手段により選択された付加情報を付加する情報付加手段、
前記地図情報とともに、前記情報付加手段により付加された付加情報及び対応する前記指定地点を表示する表示手段、
前記選択手段により選択された付加情報に関する所定条件を満たしたときに、前記指定地点に付加された付加情報に対応する所定情報をユーザに報知する報知手段、
として機能させるためのプログラム。
＜請求項３１＞
現在位置情報を取得する位置情報取得工程と、
前記現在位置情報に基づく地図情報を取得する地図情報取得工程と、
所定の情報を連想させる互いに異なる複数の付加情報からいずれかの付加情報を選択する選択工程と、
ユーザの操作に基づき、前記地図情報において指定された指定地点に前記選択工程で選択された付加情報を付加する情報付加工程と、
前記選択工程で選択された付加情報に関する所定条件を満たしたときに、前記指定地点に付加された付加情報に対応する所定情報をユーザに報知する報知工程と、
を有することを特徴とする情報報知方法。
【符号の説明】
【０１８９】
１      スマートウォッチ（電子機器）
１０１  ＣＰＵ（位置情報取得手段、地図情報取得手段、選択手段、情報付加手段、報知手段、地図情報表示制御手段、ナビゲーション手段、付加情報表示制御手段、提示手段、感情情報取得手段、制御手段、文字列表示制御手段、通信制御手段）
１０２  操作入力部（インターフェース提供手段）
１０４  表示部（表示手段、インターフェース提供手段）
【図１】
2018106139.tif 000003
【図２】
2018106139.tif 000004
【図３】
2018106139.tif 000005
【図４】
2018106139.tif 000006
【図５】
2018106139.tif 000007
【図６】
2018106139.tif 000008
【図７】
2018106139.tif 000009
【図８】
2018106139.tif 000010
【図９】
2018106139.tif 000011
【図１０】
2018106139.tif 000012
【図１１】
2018106139.tif 000013
【図１２】
2018106139.tif 000014
【図１３】
2018106139.tif 000015
【図１４】
2018106139.tif 000016
【図１５】
2018106139.tif 000017
【図１６】
2018106139.tif 000018
【図１７】
2018106139.tif 000019
【図１８】
2018106139.tif 000020
【図１９】
2018106139.tif 000021
【図２０】
2018106139.tif 000022
【図２１】
2018106139.tif 000023